(57)【特許請求の範囲】
【請求項１】
カーテンを束ねるためのカーテンアクセサリーであって、
タッセルと、房掛と、タッセルを房掛に取り付けた際の安全性を確保するためのタッセル補助部品のうちの何れの部材をも備え、
前記部材自体または互いに隣接する前記部材間に連結機構が設けられており、
前記連結機構は、前記タッセルに加わる荷重が所定値を超えると連結が解除され、かつ連結が解除された後に再連結可能であるように構成され、
前記タッセル補助部品は、前記タッセルと前記房掛を連結するように構成され、且つ前記タッセルに加わる荷重が所定値を超えると前記タッセルを脱落させるように構成される、カーテンアクセサリー。
【請求項２】
前記タッセル補助部品は、前記房掛に取り付け可能な房掛取付部と、前記タッセルのタッセルコードを保持可能なタッセル保持部とを備え、前記タッセル保持部は、前記タッセルに加わる荷重が所定値を超えると前記タッセルを脱落させるように構成される、請求項１に記載のカーテンアクセサリー。
【請求項３】
前記タッセル保持部は、前記タッセルに加わる荷重が所定値を超えると、前記タッセル保持部の弾性変形又は前記タッセルコードの圧縮変形によって前記タッセル保持部と前記タッセルコードとの係合が解除されるように構成される、請求項２に記載カーテンアクセサリー。
【請求項４】
前記タッセル保持部は、前記タッセルの第１部分を保持可能な第１タッセル保持部と、前記タッセルの第２部分を保持可能な第２タッセル保持部を備え、第１及び第２タッセル保持部は、それぞれ、前記タッセルに加わる荷重が所定値を超えると前記タッセルを脱落させるように構成される、請求項２又は請求項３に記載のカーテンアクセサリー。
【請求項５】
前記タッセル補助部品は、外力による拡径によって非環状となり且つ自身の弾性によって環状となる弾性リングを備える、請求項１〜請求項４の何れか１つに記載のカーテンアクセサリー。
【請求項６】
前記タッセル補助部品は、前記タッセルが脱落した後に、前記タッセル補助部品が前記房掛から脱落することを防止する脱落防止手段を備える、請求項１〜請求項５の何れか１つに記載のカーテンアクセサリー。
【請求項７】
前記タッセル補助部品は、前記房掛に取り付け可能な房掛取付部を備え、前記房掛取付部は、前記タッセルに加わる荷重が所定値を超えると、前記タッセル補助部品が前記房掛から分離されるように構成される、請求項１〜請求項６の何れか１つに記載のカーテンアクセサリー。
【請求項８】
前記タッセル補助部品は、前記房掛に取り付け可能な房掛取付部と、前記タッセルを保持可能なタッセル保持部とを備え、前記房掛取付部と前記タッセル保持部は、直接又は別の部材を介して連結可能であり、且つ前記タッセルに加わる荷重が所定値を超えると連結が解除され、かつ連結が解除された後に再連結可能であるように構成される、請求項１〜請求項７の何れか１つに記載のカーテンアクセサリー。
【請求項９】
タッセルが取り付けられる房掛であって、
前記房掛は、前記タッセルに加わる荷重が所定値を超えると連結が解除され、かつ連結が解除された後に再連結可能であるように構成された連結機構を備え、前記連結機構は、前記房掛を外力によって複数の部分に分離する分離部を有する、房掛。
【請求項１０】
前記房掛が複数の部分に分離されたときに、前記複数の部分の一部が床に落下しないように保持する保持手段をさらに備える、請求項９に記載の房掛。
【発明の詳細な説明】
【技術分野】
【０００１】
本発明は、カーテンを束ねるためのカーテンアクセサリーに関する。
【背景技術】
【０００２】
特許文献１に示すように、カーテンを束ねるタッセルを引っ掛けるための房掛は固定的なものが一般的である。また、特許文献２に示すように、カーテンのタッセルバンドの両端に付属するループ紐は本体から抜け落ちる事の無いように装着されているものが一般的である。
【先行技術文献】
【特許文献】
【０００３】
【特許文献１】特開平１１−１６９２８４号公報
【特許文献２】特開２０１２−１６５９９３号公報
【発明の概要】
【発明が解決しようとする課題】
【０００４】
しかしながら、上記文献記載の従来技術は、以下の点で改善の余地を有していた。
第一に、特許文献１に記載の房掛では、タッセルの保持部が固定的で強い力が掛かっても外れることがない。そのため、この房掛にタッセルを掛けた場合に、タッセルがループ状の構造を形成すると、そのループ状の構造に異物が引っ掛かって安全上問題となる可能性がある。
【０００５】
第二に、特許文献２に記載のタッセルでは、ループ紐はタッセル本体に固着されており強い力が掛かっても外れることが無い。そのため、このループ紐を用いてタッセルを房掛に掛けた場合に、このタッセルがループ状の構造を形成すると、そのループ状の構造に異物が引っ掛かって安全上問題となる可能性がある。
【０００６】
本発明は上記事情に鑑みてなされたものであり、カーテンを束ねるためのカーテンアクセサリーの安全性を向上する技術を提供することを目的とする。
【課題を解決するための手段】
【０００７】
本発明によれば、カーテンを束ねるためのカーテンアクセサリーが提供される。このカーテンアクセサリーは、タッセルと、房掛と、タッセルを房掛に取り付けた際の安全性を確保するためのタッセル補助部品と、の少なくとも１つの部材を備え、この部材自体または互いに隣接するこれらの部材間には、連結機構が設けられている。そして、この連結機構は、このタッセルに加わる荷重が所定値を超えると連結が解除され、かつ連結が解除された後に再連結可能であるように構成されている。
【０００８】
この構成によれば、このタッセルに加わる荷重が所定値を超えると連結が解除されるため、安全性に優れたカーテンアクセサリーが得られる。
【０００９】
以下、本発明の種々の実施形態を例示する。以下に示す実施形態は互いに組み合わせ可能である。
好ましくは、前記タッセルまたは前記タッセル補助部品には環状部が設けられており、前記連結機構は、前記環状部を分離して非環状とする分離部を有する。
好ましくは、前記タッセル補助部品は、外力による拡径によって非環状となり且つ自身の弾性によって環状となる弾性リングからなる。
好ましくは、前記タッセルは、ループ状のタッセルコードが弾性力によって前記房掛に連結されるように構成される。
好ましくは、前記連結機構は、前記タッセルまたは前記タッセル補助部品を引張力によって隣接する他部材から分離する分離部を有する。
好ましくは、前記タッセル補助部品は、前記タッセルのループ状のタッセルコードを挿通可能な挿通部を有し、前記分離部は、前記房掛を挟持するクリップ部を有する。
好ましくは、前記タッセル補助部品は、前記タッセルを保持可能なタッセル保持部と、磁力によって前記房掛又はその取付ビスに吸着可能な磁性体を備える。
好ましくは、前記タッセル補助部品は、前記房掛に取り付け可能な房掛取付部と、前記タッセルを保持可能なタッセル保持部とを備え、前記房掛取付部と前記タッセル保持部は、直接又は別の部材を介して連結可能であり、且つ前記タッセルに加わる荷重が所定値を超えると連結が解除され、かつ連結が解除された後に再連結可能であるように構成される。
好ましくは、前記タッセル補助部品は、前記房掛に取り付け可能な房掛取付部と、前記タッセルを保持可能なタッセル保持部とを備え、前記タッセル保持部は、前記タッセルに加わる荷重が所定値を超えると前記タッセルを脱落させるように構成される。
好ましくは、前記タッセル保持部は、前記タッセルの第１部分を保持可能な第１タッセル保持部と、前記タッセルの第２部分を保持可能な第２タッセル保持部を備え、第１及び第２タッセル保持部は、それぞれ、前記タッセルに加わる荷重が所定値を超えると前記タッセルを脱落させるように構成される。
好ましくは、第１タッセル保持部は、前記タッセルに加わる荷重が所定値を超えると変形することによって前記タッセルを脱落させるように構成され、第２タッセル保持部は、前記タッセルに加わる荷重が所定値を超えると前記タッセル補助部品を前記房掛に対して相対回転させることによって前記タッセルを脱落させるように構成される。
好ましくは、前記房掛は、台座と、前記台座に支持された且つ前記タッセルまたは前記タッセル補助部品を引っ掛けるための引掛部を備え、前記台座と前記引掛部の間の隙間を塞ぐ引っ掛け禁止部材が設けられる。
好ましくは、前記連結機構は、隠蔽部材または装飾部材によって覆われている。
好ましくは、前記タッセルおよび前記タッセル補助部品をともに備え、前記分離部は、前記タッセル補助部品に設けられており、前記タッセルの一端には、前記タッセル補助部品が係止されているループ状のタッセルコードであって、当該タッセルコードのループ状の部分は前記房掛に引っ掛けることができないように構成されており、前記タッセルの他端には、前記房掛に引っ掛けるための別のループ状のタッセルコードが設けられている。
好ましくは、前記連結機構は、前記房掛を外力によって複数の部分に分離する分離部を有する。
好ましくは、前記房掛は、前記分離部での分離を生じさせるのに必要な解除力を変更可能に構成されている。
好ましくは、前記房掛は、固定立設面に固定される台座と、前記台座から突出する突出軸と、前記突出軸に支持され且つ前記タッセルまたは前記タッセル補助部品を引っ掛けるための引掛部とを有し、前記分離部は、前記突出軸および前記引掛部の間に設けられている。
好ましくは、前記房掛には、前記分離部に設けられているトリガーに向かい低くなるように傾斜する傾斜面が設けられ、前記タッセルまたは前記タッセル補助部品が前記トリガーに当接し力をかけることにより前記連結が解除される。
好ましくは、前記台座と前記引掛部の間に設けられ且つ前記突出軸よりも高い位置において前記台座又は前記引掛部に対して着脱可能である突出部材をさらに備え、前記突出部材の着脱によって前記タッセルまたは前記タッセル補助部品の保持位置が変更可能である。
好ましくは、前記引掛部は、前記台座から離れる方向に傾斜して設けられ、前記タッセルまたは前記タッセル補助部品は、前記突出軸の上方よりも前記台座から離れた位置で保持される。
好ましくは、前記房掛は、固定立設面に固定される台座と、前記台座から突出する突出軸と、前記突出軸に支持され、前記タッセルまたは前記タッセル補助部品を引っ掛けるための引掛部とを有し、前記分離部は、前記台座および前記突出軸の間に設けられている。
好ましくは、前記連結機構の連結が解除されたときにも前記台座が下方へ落下しないように保持する保持コードが、前記台座および前記突出軸の間に設けられている。
好ましくは、前記房掛は、固定立設面に取り付けられる取付台と、前記取付台に係止する台座と、前記台座から突出する突出軸と、前記突出軸に支持され且つ前記タッセルまたは前記タッセル補助部品を引っ掛けるための引掛部とを有し、前記分離部は、前記台座および前記取付台の間に設けられている。
好ましくは、前記取付台は、前記台座を係止するための台座係止部と、前記台座を略上下方向にスライドさせるためのスライド溝とを有し、前記タッセルまたは前記タッセル補助部品が前記突出軸または引掛部に当接し力をかけることにより、前記台座が前記スライド溝に沿って下方向にスライドして前記連結が解除される。
好ましくは、前記タッセルと、前記房掛と、前記タッセル補助部品のうちの少なくとも１つの部材または部分であって前記連結機構が連結している状態では下方へ落下しない状態にある部材または部分が、前記連結機構の連結が解除されたときにも床に落下しないように保持する保持手段をさらに備える。
好ましくは、前記連結機構は、嵌合構造を有する。
好ましくは、前記嵌合構造は回転嵌合構造であり、かつ嵌合が解除された後に手動で回転させながら再嵌合可能であるように構成されている。
好ましくは、前記連結機構は磁性体を含む吸着構造である。
好ましくは、前記連結機構は、前記タッセルに加わる荷重が２ｋｇｆ超になると連結が解除されるように構成されている。
好ましくは、前記房掛は、固定立設面に固定される台座と、回転フックとを備え、前記回転フックは、前記タッセルを保持可能なフック部を備え、前記台座は、前記回転フックを挿込可能な開口孔を備え、前記回転フックは、前記台座の開口孔に設けられた回転機構によって回転可能に支持され、前記連結機構は、前記回転フックに設けられた回転フック側係止部と、前記台座に設けられ且つ前記タッセルにかかる荷重が所定値以下である状態で前記回転フック側係止部に係合して前記回転フックの回転を規制する台座側係止部とを備える。
好ましくは、前記房掛は、前記タッセルを保持可能なタッセル保持部とを備え、前記タッセル保持部は、前記タッセルに加わる荷重が所定値を超えると前記タッセルを脱落させるように構成される。
好ましくは、前記連結機構は、前記タッセルを介して前記房掛に加わる荷重が所定の解除力を超えると前記房掛を変形させて前記房掛と前記タッセルの間の連結を解除する第１連結機構と、前記タッセルに加わる荷重が所定の解除力を超えると前記タッセル内に設けられた分離部又は前記タッセルと前記房掛の間に設けられた分離部を分離させる第２連結機構とを備える。
好ましくは、第２連結機構の解除力は、第１連結機構の解除力よりも小さい。
【００１０】
本発明は、別の観点では、ガイドワイヤを支持するガイドワイヤ支持体と、前記ガイドワイヤに沿って移動可能であり且つタッセルを保持可能な房掛とを備え、前記房掛は、特定高さ又は所望の高さで前記ガイドワイヤに対して保持可能である、カーテンアクセサリーを提供する。
好ましくは、前記房掛は、ユーザーの操作によって前記ガイドワイヤに対する保持力を変更可能に構成される。
好ましくは、前記房掛は、前記房掛に保持される前記タッセルのループを危険領域の上方又は下方にある安全領域にまで移動させる範囲で移動可能である。
好ましくは、前記ガイドワイヤ支持体は、固定立設面に固定される上部取付台である。
好ましくは、前記房掛は、前記上部取付台に対して保持可能であり、且つ前記タッセルに加わる荷重が所定値を超えると前記上部取付台から外れて下降するように構成される。
好ましくは、前記ガイドワイヤの、前記房掛よりも低い位置には、前記固定立設面に対して固定される下部取付部、又は前記固定立設面に固定しない端止具を備え、これによって前記房掛の下方への移動を規制する。
好ましくは、前記ガイドワイヤ支持体は、カーテンレールに支持される支持部材である。
好ましくは、前記支持部材は、前記カーテンレールのランナー走行溝に挿入した状態で回転させることによって前記カーテンレールに支持可能である。
【００１１】
本発明は、別の観点では、カーテンレール内に配置されたランナーと共に移動する誘導コードと、前記誘導コードに取着されて前記ランナーの移動に伴って上下移動し且つタッセルを保持可能な房掛とを備える、カーテンアクセサリーを提供する。
【００１２】
本発明は、別の観点では、固定立設面に既に設置されている既存の房掛に隣接させて、上記記載のカーテンアクセサリーの房掛を設置する工程を備える、カーテンアクセサリーの設置方法を提供する。
【００１３】
本発明は、別の観点では、ループ状のタッセルコードを有するタッセルであって、前記タッセルコードは、前記タッセルに加わる荷重が所定値を超えたときに伸長する伸長部を備える、タッセルを提供する。
好ましくは、前記タッセルコードに取着された装飾部材をさらに備え、前記伸長部は、前記装飾部材内に配置される。
好ましくは、前記伸長部は、伸縮材からなる。
好ましくは、前記伸長部は、ボビンに巻き付けられた糸からなる。
【００１４】
本発明は、別の観点では、固定立設面に固定する固定部と、前記固定立設面から離間した位置で支持され且つ前記固定立設面へ向かい且つタッセルを保持可能なフック部を備え、前記フック部は、下方に変位する変位構造を備え、前記変位構造は、前記タッセルに加わる荷重が所定値を超えたときに、前記フック部と前記タッセルとの係合を解除させる、房掛を提供する。
【発明の効果】
【００１５】
本発明によれば、安全性に優れたカーテンアクセサリーが得られる。
【図面の簡単な説明】
【００１６】
【図１】実施形態１に係るタッセル補助部品の構造および既存の房掛やタッセルに取り付けることができる使用態様について説明するための図面である。
【図２】実施形態１に係るタッセル補助部品を用いた場合に、所定荷重によりタッセル補助部品の分離部が外れることによって、タッセル補助部品の環状構造が非環状構造に解除され、タッセルの一方のタッセルコードが房掛から外れた状態になる仕組みを説明するための図面である。
【図３】実施形態１に係るタッセル補助部品の分離部の変形例１を説明するための分解斜視図である。
【図４】実施形態１に係るタッセル補助部品の分離部の変形例２を説明するための分解斜視図である。
【図５】実施形態１に係るタッセル補助部品の変形例３を説明するための図面である。
【図６】実施形態１に係るタッセル補助部品について脱落防止カラーを設けた変形例４を説明するための図面である。
【図７】（ａ）は、実施形態２に係るクリップタイプのタッセル補助部品の外観を説明するための図面であり、（ｂ）〜（ｃ）は、このタッセル補助部品の内部構造および動作を説明するための図面である。
【図８】実施形態３に係るタッセル補助部品を示し、（ａ）はタッセルコードにタッセル補助部品を取着させた状態を示し、（ｂ）〜（ｃ）は、タッセル補助部品の連結部の拡大断面図及び斜視図である。
【図９】実施形態４に係るタッセルのループ状のタッセルコードに、所定の引張力により分離可能な分離部を設ける構成について説明するための図面であり、（ａ）はタッセルの全体図であり、（ｂ）はタッセルコードに設けた分離部の拡大断面図である。
【図１０】実施形態４に係るタッセルのループ状のタッセルコードに設けられている分離部に所定の引張力がかかったために、そのタッセルコードが非ループ状になってタッセルが垂れ下がる仕組みを説明するための図面である。
【図１１】実施形態４に係るタッセルについて分離部内蔵タイプの変形例１を説明するための図である。
【図１２】（ａ）〜（ｃ）は、実施形態４の変形例２に係るタッセル（結び目のある紐タイプの変形例）のループ状のタッセルコードに設けられている分離部に所定の引張力がかかったために、そのタッセルコードが非ループ状になってタッセルが垂れ下がるか、あるいは落下する仕組みを説明するための図面である。（ｄ）は、比較的細長い形状の分離部を有する変形例を示す。
【図１３】実施形態４の変形例３に係るタッセル（装飾部材の内部に分離部を設けた紐タイプの変形例）のループ状のタッセルコードに設けられている分離部に所定の引張力がかかったために、そのタッセルコードが非ループ状になってタッセルが垂れ下がるか、あるいは落下する仕組みを説明するための図面である。
【図１４】実施形態５−１に係る房掛に所定の引張力により分離可能な分離部を突出軸および引掛部の間に設ける構成について説明するための図面である。
【図１５】実施形態５−２に係る房掛に所定の引張力により分離可能な分離部を台座と突出軸との間に設ける構成（突出軸が分離したとき落下を防止する保持コードを内蔵する変形例を含む）について説明するための図面である。
【図１６】実施形態６に係る房掛に所定の引張力により分離可能な分離部を台座と取付台との間に設ける構成（上下スライド方式の変形例）について説明するための図面である。
【図１７】実施形態６に係る房掛（上下スライド方式の変形例）の台座および取付台の構成について斜視図を用いて説明するための図面である。
【図１８】実施形態７に係る房掛に所定の引張力により分離可能な分離部を突出軸および台座の間に設ける構成について説明するための図面である。
【図１９】実施形態７に係る房掛に所定の引張力により分離可能な分離部を突出軸および台座の間に設ける構成について説明するための図面である。
【図２０】実施形態７に係る房掛の分離部の形成位置の変形例１である。
【図２１】実施形態７に係る房掛の分離部の形成位置の変形例１である。
【図２２】実施形態８に係る房掛に所定の引張力により分離可能な分離部を突出軸および引掛部の間に設ける構成について説明するための図面である。
【図２３】実施形態８に係る房掛の構成を示す斜視図である。
【図２４】実施形態８に係る房掛に所定の引張力により分離可能な分離部を突出軸および引掛部の間に設ける構成について説明するための図面である。
【図２５】実施形態９に係る房掛に所定の引張力により分離可能な分離部を突出軸および引掛部の間に設ける構成について説明するための図面である。
【図２６】実施形態９に係る房掛に所定の引張力により分離可能な分離部を突出軸および引掛部の間に設ける構成について説明するための図面である。
【図２７】実施形態９に係る房掛に所定の引張力により分離可能な分離部を突出軸および引掛部の間に設ける構成について説明するための図面である。
【図２８】実施形態１０に係る房掛に所定の引張力により分離可能な分離部を突出軸および引掛部の間に設ける構成について説明するための図面である。
【図２９】実施形態１０に係る房掛に所定の引張力により分離可能な分離部を突出軸および引掛部の間に設ける構成について説明するための図面である。
【図３０】実施形態１０に係る房掛の分離部の変形例１である。
【図３１】実施形態１に係わるループ状のタッセル補助部品の分離部の変形例５である。
【図３２】実施形態１に係わるループ状のタッセル補助部品の分離部の変形例５である。
【図３３】実施形態１の変形例６の構成を示し、（ａ）はタッセル補助部品を房掛に取り付けた状態を示し、（ｂ）はタッセル補助部品のみを示す。
【図３４】実施形態１の変形例６の構成を示し、（ａ）はタッセルコードに荷重が加わっている状態を示し、（ｂ）は弾性リングからタッセルコードが外れた状態を示す。
【図３５】実施形態２の変形例１の構成を示し、（ａ）は固定立設面に固定された房掛を示し、（ｂ）はタッセルコードに閾値を超える荷重が加わる前の状態を示し、（ｃ）はタッセルコードに閾値を超える荷重が加わった後の状態を示し、（ｄ）はタッセル補助部品のみを示す正面図であり、（ｅ）は（ｄ）の右側面図である。
【図３６】実施形態４の変形例４の構成を示し、（ａ）はタッセルの全体構成を示し、（ｂ）は（ａ）中の領域Ａの拡大図であり、（ｃ）は（ｂ）中のＢ−Ｂ断面図であり、（ｄ）は、タッセルを房掛に取り付けた状態を示す。
【図３７】実施形態４の変形例５の構成を示し、（ａ）は非ループ状の弾性リングであり、（ｂ）は（ａ）の弾性リングを用いてタッセルを房掛に取り付けた状態を示す。
【図３８】実施形態４の変形例６の構成を示し、（ａ）は螺旋状の弾性リングであり、（ｂ）は（ａ）の弾性リングを用いてタッセルを房掛に取り付けた状態を示す。
【図３９】実施形態１１の房掛の構成を示す断面図であり、（ａ）は回転フックに閾値を超える荷重が加わる前、（ｂ）は回転フックに閾値を超える荷重が加わった後、（ｃ）は回転フックへの荷重が取り除かれた後の状態を示す。
【図４０】実施形態１１の台座の構成を示し、（ａ）は背面図、（ｂ）は（ａ）中のＡ−Ａ断面図、（ｃ）は正面図、（ｄ）は底面図である。
【図４１】実施形態１１の回転フックの構成を示し、（ａ）は背面図、（ｂ）は左側面図、（ｃ）は正面図である。
【図４２】台座に回転フックを取り付けた状態の背面図である。
【図４３】実施形態１２の構成を示し、（ａ）は房掛取付部とタッセル保持部が連結された状態、（ｂ）は房掛取付部とタッセル保持部が分離された状態を示す。
【図４４】実施形態１２の房掛取付部の構成を示し、（ｂ）は正面図、（ａ）は左側面図である。
【図４５】実施形態１２のタッセル保持部の構成を示し、（ａ）は正面図、（ｂ）は右側面図である。
【図４６】実施形態１２の変形例１のタッセル保持部の構成を示し、（ｂ）は正面図、（ａ）は左側面図である。
【図４７】実施形態１２の変形例１のタッセル保持部でタッセルコードを保持している状態を示し、（ａ）は正面図、（ｂ）は右側面図である。
【図４８】実施形態１２の変形例２の房掛取付部の構成を示す。
【図４９】実施形態１２の変形例３の房掛取付部の構成を示し、（ａ）は正面図、（ｂ）は右側面図である。
【図５０】実施形態１２の変形例３の房掛取付部を房掛に取り付けている途中の状態を示し、（ａ）は正面図、（ｂ）は右側面図である。
【図５１】実施形態１２の変形例３の房掛取付部を房掛に取り付けた後の状態を示し、（ａ）は正面図、（ｂ）は右側面図である。
【図５２】（ａ）は、実施形態１２の変形例３の房掛取付部の構成を示し、（ｂ）は、（ａ）の房掛側保持部を房掛に取り付けた状態を示す図５１（ａ）と同じ断面の断面図である。
【図５３】実施形態１３のタッセル補助部品の構成を示し、（ｂ）は正面図、（ａ）は左側面図である。
【図５４】実施形態１３のタッセル補助部品を用いてタッセルを房掛に取り付けた状態を示し、（ａ）〜（ｂ）はタッセルコードに閾値を超える荷重が加わる前の状態を示す正面図及び右側面図であり、（ｃ）はタッセルコードに閾値を超える荷重が加わった後の状態を示す右側面図である。
【図５５】（ａ）は、実施形態１３においてタッセルの抜け落ち荷重を調整するためのコード径調整カラーを示し、（ｂ）は、コード径調整カラーをタッセルコードに装着した状態を示す。
【図５６】実施形態１３の変形例１の構成を示し、（ａ）は、タッセル補助部品を房掛に取り付ける方法を示す右側面図であり、（ｂ）はタッセル補助部品を房掛に取り付けた後の状態を示す右側面図である。
【図５７】実施形態１４の構成を示し、（ａ）は房掛の全体構成を示す右側面図であり、（ｂ）は房掛にタッセルコードを取り付けた状態を示す拡大図であり、（ｃ）はタッセルコードが脱落した直後の状態を示す拡大図である。
【図５８】実施形態８の変形例１の構成を示し、（ａ）は、房掛の構成を示す斜視図を示し、（ｂ）は、解除力弱モードでタッセルコードに閾値を超える荷重が加わる前の状態を示す右側面図、（ｃ）は解除力弱モードでタッセルコードに閾値を超える荷重が加わっている状態を示す右側面図、（ｄ）は解除力強モードでタッセルコードに閾値を超える荷重が加わる前の状態を示す右側面図である。
【図５９】実施形態８の変形例２の構成を示し、（ａ）は、房掛の構成を示す斜視図を示し、（ｂ）は、タッセルコードに閾値を超える荷重が加わる前の状態を示す右側面図、（ｃ）はタッセルコードに閾値を超える荷重が加わっている状態を示す右側面図である。
【図６０】実施形態１３の変形例２の構成を示し、タッセル補助部品を用いてタッセルを房掛に取り付けた状態を示し、（ａ）〜（ｂ）はタッセルコードに閾値を超える荷重が加わる前の状態を示す正面図及び右側面図であり、（ｃ）は一方のタッセルコードに閾値を超える荷重が加わった後の状態を示す右側面図である。
【図６１】実施形態１３の変形例２の構成を示し、他方のタッセルコードに閾値を超える荷重が加わった後の状態を示す正面図である。
【図６２】実施形態１３の変形例３の構成を示し、（ａ）は引っ掛け禁止部材の平面図、（ｂ）は引っ掛け禁止部材の左側面図、（ｃ）は引っ掛け禁止部材を引掛部に取り付ける前の状態を示す左側面図、（ｄ）は引っ掛け禁止部材を引掛部に取り付けた後の状態を示す左側面図である。
【図６３】実施形態１の変形例７の構成を示し、（ａ）はタッセルにタッセル補助部品を取り付けた状態を示し、（ｂ）はタッセル補助部品のみを示し、（ｃ）はタッセルコードとタッセル補助部品の取付部分を拡大した部分拡大図である。
【図６４】実施形態１の変形例７の構成を示し、（ａ）はタッセルコードに荷重が加わっている状態を示し、（ｂ）は弾性リングが軸部から外れた状態を示す。
【図６５−１】実施形態１の変形例８の構成を示し、タッセルコードとタッセル補助部品の取付部分を拡大した部分拡大図である。
【図６５−２】実施形態１の変形例９の構成を示し、（ａ）はタッセル補助部品のみを示し、（ｂ）はタッセルコードとタッセル補助部品の取付部分を拡大した部分拡大図である。
【図６６】実施形態１５の構成を示す。
【図６７】実施形態１６の構成を示す。（ａ）は房掛の正面図、（ｂ）は房掛を固定立設面に取り付けた状態の右側面図、（ｃ）は、房掛の台座と、取付台の間の係合構造を説明するための正面図である。
【図６８】実施形態１６の作用を示す。
【図６９】実施形態１６の作用を示す。
【図７０】実施形態１７の構成を示す。
【図７１】実施形態１７の作用を示す。
【図７２】実施形態１８の構成及び作用を示す。
【図７３】実施形態１８の作用を示す。
【図７４】実施形態１８の構成及び作用を示す。（ａ）〜（ｂ）は正面図、（ｃ）は左側面図である。
【図７５】実施形態１８の作用を示す。
【図７６】実施形態１６の変形例１の構成を示す。
【図７７】実施形態１６の変形例１の構成及び作用を示す。
【図７８】実施形態１６の変形例１の構成及び作用を示す。
【図７９】実施形態１６の変形例１の変形例の構成及び作用を示す。
【図８０】実施形態１６の変形例２の構成を示す。
【図８１】実施形態１６の変形例２の構成及び作用を示す。
【図８２】実施形態１６の変形例２の構成及び作用を示す。
【図８３】実施形態１９の構成及び作用を示す。
【図８４】実施形態１９の変形例１の構成及び作用を示す。
【図８５】実施形態１９の変形例２の構成を示す。
【図８６】実施形態１９の変形例３の構成を示す。
【図８７】実施形態１９の変形例７の構成を示す。（ａ）はタッセルの全体図、（ｂ）は装飾部材の内部構造図、（ｃ）はタッセルコードの連結構造を示す断面図、（ｄ）は装飾部材３０６の正面図及び右側面図、（ｅ）はボビンの正面図及び右側面図、（ｆ）はタッセルコードが装飾部材から外れた状態を示す断面図である。
【図８８】実施形態２０の構成及び作用を示す。
【図８９】実施形態２１のカーテンアクセサリーの構成を示し、（ａ）はタッセル３００の、分離可能な環状構造Ｒに荷重が加わる前の状態、（ｂ）は分離可能な環状構造Ｒに荷重が加わった後の状態を示す。
【図９０】実施形態２１のカーテンアクセサリーの構成を示し、（ａ）はタッセル３００の、分離不能な環状構造Ｒ１に荷重が加わる前の状態、（ｂ）は分離不能な環状構造Ｒ１に荷重が加わった後の状態を示す。
【図９１】実施形態２１のカーテンアクセサリーのタッセル３００を示し、（ａ）は分離部１１４に直接荷重が加わったときの状態を示し、（ｂ）は分離部１１４以外の位置に荷重が加わったときの状態を示す。
【図９２】実施形態２１の変形例１のカーテンアクセサリーの構成を示す。
【図９３】（ａ）は、実施形態２１の変形例２のカーテンアクセサリーのタッセル３００の構成を示し、（ｂ）は、（ａ）のタッセル３００が房掛２００に掛けられた状態を示し、（ｃ）は、タッセルコード３１０ａに荷重が加わってタッセル３００が分離部１１４で分離された状態を示す。
【図９４】（ａ）は、実施形態２１の変形例３のカーテンアクセサリーの構成を示し、（ｂ）は、この変形例のタッセル３００の構成を示す。
【図９５】（ａ）〜（ｃ）は、実施形態２１の変形例３の房掛２００のコード保持部２２２に環状構造Ｒ２を係合させる方法を示す右側面図である。
【図９６】（ａ）〜（ｃ）は、実施形態２１の変形例３のタッセル３００に荷重が加わったときの状態を示し、（ａ）は第２連結機構が分離する場合、（ｂ）〜（ｃ）は第１連結機構が分離する場合を示す。
【発明を実施するための形態】
【００１７】
以下、本発明の実施の形態について、図面を用いて説明する。尚、すべての図面において、同様な構成要素には同様の符号を付し、適宜説明を省略する。
【００１８】
＜実施形態１：ループ状のタッセル補助部品＞
図１は、実施形態に係る既存の房掛２００やタッセル３００に取り付けることができるタッセル補助部品１００の構造および使用態様について説明するための図面である。図２は、実施形態に係るタッセル補助部品１００を用いた場合に、所定荷重によりタッセル補助部品１００の分離部１１４が外れることによって、タッセル補助部品１００の環状構造が非環状構造に解除され、タッセル３００の一方のタッセルコードが房掛２００から外れた状態になる仕組みを説明するための図面である。
【００１９】
本実施形態のカーテンアクセサリー１０００は、図２（ａ）に示すように、カーテン１１００を束ねるためのアクセサリーである。このカーテンアクセサリー１０００は、図２（ａ）に示すように、タッセル３００と、房掛２００と、タッセル補助部品１００と、の３つの部材を備えている。このタッセル補助部品１００は、後述するようにタッセル３００を房掛２００に取り付けた際の安全性を確保するための補助部品である。
【００２０】
なお、カーテンアクセサリー１０００として販売する場合には、必ずしも３つの部材をセットで販売する必要はない。すなわち、カーテンアクセサリー１０００は、これらの３つの部材のうち少なくとも１つの部材（例えば、タッセル補助部品１００）を含んでいればよい。図２（ａ）に描かれているタッセル補助部品１００は、既存の房掛やタッセルに取り付けることができるタッセル補助部品１００であるため、単独でもカーテンアクセサリー１０００として販売できる。
【００２１】
本実施形態のカーテンアクセサリー１０００では、これらの３つの部材のうち少なくとも１つの部材自体（例えば、タッセル補助部品１００）または互いに隣接する部材間（具体例については後述するのでここでは説明しない）に連結機構（例えば、図１（ａ）に示す分離部１１４）が設けられている。そして、図２（ｂ）に示すように、この連結機構（例えば、分離部１１４）は、タッセル３００に加わる荷重が所定値以上になると連結が解除される。一方、この連結機構（例えば、分離部１１４）は、一旦連結が解除された後であっても再連結可能であるように構成されている。
【００２２】
本実施形態のカーテンアクセサリー１０００では、上記のタッセル３００またはタッセル補助部品１００には環状部（例えば、図１（ａ）に示すタッセル補助部品１００のコード１１１が形成するループ状の構造）が設けられている。そして、上記の連結機構は、この環状部（例えば、図２（ａ）に示すタッセル補助部品１００が形成するループ状の構造）を分離して、（例えば図２（ｂ）に示す直線状の紐状になったタッセル補助部品１００のように）非環状とする分離部１１４を有する。
【００２３】
本実施形態のカーテンアクセサリー１０００では、上記の連結機構は、図１（ｂ）に示すように、嵌合構造を有する分離部１１４であることが好ましい。この分離部１１４の構成を図１（ｂ）に従って説明すると、分離部１１４は合成樹脂で成型されたオス型部材（第一の連結部材）１１５およびメス型部材（第二の連結部材）１１６とで構成される。このメス型部材１１６は筒状に形成され、その先端部内周面には係止溝１１７が周方向に形成されている。
【００２４】
メス型部材１１６の基端部には、コード１１１ａを挿通可能とした挿通孔１１８が形成されている。そして、コード１１１ａをメス型部材１１６に取着するには、コード１１１ａの端部をメス型部材１１６の基端側から挿通孔１１８に挿通する。そして、コード１１１ａの端部にかしめ部材１１９を装着してかしめると、図１（ｂ）に示すように、メス型部材１１６内でかしめ部材１１９が挿通孔１１８の周縁部に当接して、コード１１１ａの端部がメス型部材１１６に保持される。
【００２５】
オス型部材１１５は、コード１１１ｂの端部にアウトサート成型により取着される。すなわち、オス型部材１１５は一本のコード１１１ｂに対し、所定間隔毎にアウトサート成型により形成され、成型後にオス型部材１１５の先端縁でコード１１１ｂを切断することにより、先端にオス型部材１１５が取着された所定長さのコード１１１ｂが形成される。そして、コード１１１ｂの他方の端部が上記のようにメス型部材１１６に取着される。
【００２６】
オス型部材１１５の先端部は、メス型部材１１６の先端部に嵌合可能とした径で形成され、先端部外周面には係止溝１１７に係合可能とした突条１２０が周方向に形成されている。
【００２７】
そして、オス型部材１１５の先端部をメス型部材１１６の先端部に嵌合すると、突条１２０が係止溝１１７に弾性的に係合するようになっている。この状態では、オス型部材１１５およびメス型部材１１６に両者を引き離す方向に所定値以上の力が作用すると（好ましくは２ｋｇｆを超えると）、オス型部材１１５とメス型部材１１６との嵌合が外れるようになっている。
【００２８】
このような分離部１１４で接続されたコード１１１を備えたタッセル補助部品１００では、図２（ａ）に示すように、タッセル補助部品１００のコード１１１がループ状の構造をとって、タッセル３００を房掛２００に間接的に係止している。この状態で、例えばタッセル３００に居住者等が引っ掛かった場合や無理な力がカーテンを介して働くなどした場合には、タッセル補助部品１００に引張力５００が加わり、図２（ｂ）に示すように、分離部１１４においてオス型部材１１５とメス型部材１１６との嵌合が外れて、タッセル補助部品１００は非ループ状（非環状）になって床に落下する。
【００２９】
上記のように構成された分離部１１４を備えるタッセル補助部品１００では、次に示す作用効果を得ることができる。
【００３０】
（１）居住者等がタッセル３００に引っ掛かったり無理な力がカーテンを介して働くなどした場合に、タッセル補助部品１００の分離部１１４のオス型部材１１５とメス型部材１１６とに両者を引き離す方向の所定値以上の力が作用すると、オス型部材１１５とメス型部材１１６との嵌合が外れる。従って、タッセル３００の引っ掛かりによる障害を未然に防止することができる。
【００３１】
（２）タッセル補助部品１００は、既存の房掛２００やタッセル３００に取り付けることができるため、房掛２００やタッセル３００を買い換えたり、追加工事をしたりすること無く、安価かつ容易にカーテンアクセサリーの安全性を高めることができる。
【００３２】
＜実施形態１のタッセル補助部品の分離部の変形例１＞
なお、上記の分離部１１４は、必ずしも図１（ｂ）に示す構造に限定されず、他の構造であってもよい。図３は、実施形態に係るタッセル補助部品１００の分離部１１４の変形例を説明するための分解斜視図である。すなわち、タッセル補助部品１００の分離部１１４は、図３に示すような嵌合構造の連結部１６であってもよい。この連結部１６の嵌合構造は、一種の回転嵌合構造である。そのため嵌合が解除された後に手動で回転させながら再嵌合可能である。
【００３３】
図３に示すように、連結部１６は第一の連結部材２７と第二の連結部材２８とで構成される。第一の連結部材２７は、コード１９の一端に第一の嵌合部２９が合成樹脂で形成されている。第一の嵌合部２９の先端部には、丸軸の両側部を平行に切除した断面俵形の嵌合突部３０が形成されている。嵌合突部３０の先端部には、俵形の長軸方向に膨径された膨径部３１が形成され、その膨径部３１の長軸方向の両側部の外周面に凹条３２が第一の嵌合部２９の軸方向に設けられている。また、膨径部３１の先端角部には面取り３３が形成されている。
【００３４】
第二の連結部材２８は、コード１９と同様な連結コード２３の一端に第一の嵌合部２９と同一材質で第二の嵌合部３４が成形されている。第二の嵌合部３４の基端部は半球状に形成され、第二の嵌合部３４の先端部には嵌合孔３５が形成されている。嵌合孔３５は、嵌合突部３０の膨径部３１を挿入可能とする俵形に開口されている。嵌合孔３５の奥部は、嵌合孔３５内で嵌合突部３０を回動可能とする径で円形に形成されている。従って、嵌合孔３５の開口部には膨径部３１に係合する係止部３７が線対称状に形成されている。この係止部３７の開口縁は、嵌合突部３０の基端部を回動可能とするように、円弧状に抉られている。
【００３５】
上記のような第一の嵌合部２９と第二の嵌合部３４を連結するには、嵌合突部３０の膨径部３１を嵌合孔３５に挿入し、この状態で第一の嵌合部２９をいずれかの方向へ回動させる。すると、膨径部３１が係止部３７に係合して嵌合孔３５内に保持される。この保持力は、通常のカーテン１１００をタッセル３００によって束ねて係止する時にタッセル補助部品１００に作用するカーテンを束ねた状態を維持する最低限必要な保持力に抗する引張り力（好ましくは１ｋｇｆ未満）では嵌合突部３０と嵌合孔３５の嵌合が外れることがないように設定されている。また、タッセル補助部品１００のコード１１１に通常の引張り力を超える所定の値以上の大きな引張り力が作用したとき（好ましくは２ｋｇｆを超えたとき）に限り、合成樹脂の弾性により嵌合孔３５の開口部が広げられて膨径部３１が嵌合孔３５から引き抜かれ、嵌合突部３０と嵌合孔３５の嵌合が外れるようになっている。
【００３６】
この連結部１６の嵌合構造は、一種の回転嵌合構造である。すなわち、係止部３７の円弧面で嵌合突部３０の基端部を回動可能に支持することができる。そのため、嵌合突部３０の膨径部３１を嵌合孔３５に挿入して９０度回動させることにより、嵌合突部３０を嵌合孔３５に嵌合する構成となり、嵌合突部３０を嵌合孔３５に嵌合するための操作力を軽微としながら、嵌合突部３０を嵌合孔３５に保持する保持力を十分に確保することができる。また、嵌合突部３０の先端に設けた面取り３３により、嵌合突部３０を嵌合孔３５に容易に骸合することができる。そして、嵌合突部３０を嵌合孔３５に骸合するための操作力が軽微であるので、工具を使用することなく、嵌合突部３０を嵌合孔３５に再嵌合することができる。従って、連結部１６が外れても、居住者が容易に復帰させることができる。すなわち、連結部１６の嵌合突部３０と嵌合孔３５の嵌合が外れた後でも、嵌合突部３０を嵌合孔３５に回転させながら再度嵌合すれば、ループ状のタッセル補助部品１００として容易に再生することができる。
【００３７】
また、第一及び第二の連結部材２７，２８をタッセル補助部品のコード１１１に取着するには、タッセル補助部品のコード１１１の両端部に中空状に空間を形成し、その空間に第一及び第二の連結部材２７，２８の連結コード１９，２３をそれぞれ挿入する。この状態で、タッセル補助部品のコード１１１の外皮およびコード１９，２３を縫製すると、第一及び第二の連結部材１７，１８がタッセル補助部品のコード１１１に取着される。
【００３８】
＜実施形態１のタッセル補助部品の分離部の変形例２＞
上記の分離部１１４は、必ずしも図１（ｂ）または図３に示す構造に限定されず、他の構造であってもよい。図４は、実施形態に係るタッセル補助部品の嵌合部の変形例２を説明するための分解斜視図である。すなわち、タッセル補助部品１００の分離部１１４は、図４に示すような嵌合構造の連結部１６であってもよい。この連結部１６の嵌合構造も、一種の回転嵌合構造である。そのため嵌合が解除された後に手動で回転させながら再嵌合可能である。この場合も、図３に示した構造と同様の作用効果が得られる。
【００３９】
図４に示すように、連結部１６は同一構成の２つの第一の連結部材４１を筒状の第二の連結部材（第二の嵌合部）４２で連結した構成である。第一の連結部材４１は、図４に示すように、コード１４の一端には第一の連結部材４１が固着され、オス型部材である第一の連結部４１の先端部には、丸軸状の嵌合突部４５が形成されている。嵌合突部４５の先端部の外周面上には、図４に示すように、丸軸の中心に対し線対称状に膨径部４６が形成され、その膨径部４６の中間には断面半円状の凹条４７がそれぞれ形成されている。嵌合突部４５の基端部には、図４に示すように、丸軸の径方向に突出する回動規制部４８が中心に対し線対称状に形成されている。また、各回動規制部４８は、丸軸の中心に対し凹条４７から周方向に４５度隔てた位置に形成される。
【００４０】
第二の連結部材４２は、第一の連結部材４１と同一の合成樹脂で円筒状に成形されて嵌合孔を備えたメス型部材として形成され、図４に示すように、両側の開口部４９ａ，４９ｂは嵌合突部４５の膨径部４６を含む先端部を挿入可能とした俵形に形成されている。また、開口部４９ａ，４９ｂは、その俵形の方向が円筒の中心に対し互いに９０度回転した形状となっている。第二の連結部材４２の内部には、嵌合突部４５の先端部を回動可能とする径を備えた円形孔が形成されている。そして、開口部４９ａの俵形の短軸方向の開口縁には、膨径部４６の円形孔からの抜けを妨げる係止部がそれぞれ形成され、開口部４９ｂの俵形の短軸方向の開口縁には、前記膨径部４６の円形孔からの抜けを妨げる係止部がそれぞれ形成されている。
【００４１】
第一の連結部材４１と第二の連結部材４２とを連結するには、第一の連結部材４１の嵌合突部４５を第二の連結部材４２の開口部４９ａに挿入し、第一の連結部材４１を第二の連結部材４２に対し時計方向に回動する。第二の連結部材４２の他方の開口部４９ｂにも同様に第一の連結部材４１を挿入して９０度目動させて位置決めする。すると、図４に示すように、第二の連結部材４２を介して第一の連結部材４１が連結される。
【００４２】
＜実施形態１のタッセル補助部品の変形例３＞
図５は、実施形態に係るタッセル補助部品１００について変形例３を説明するための図面である。図５に示すように、本変形例のカーテンアクセサリー１０００は、タッセル３００およびタッセル補助部品１００をともに備えていてもよい。本変形例では、実施形態１で説明した分離部１１４は、タッセル補助部品１００に設けられている。
【００４３】
そして、タッセル３００の一端には、図５に示すように、タッセル補助部品１００が係止されているループ状のタッセルコードであって、そのタッセルコードのループ状の部分は房掛２００に引っ掛けることができないように構成されている。具体的には、図５に示すように、そのタッセルコードのループ状の部分は、隠蔽部材１５２にほぼ覆われて僅かに露出している部分が房掛の引掛部よりも狭くなっているために、その部分を房掛２００に引っ掛けることができない。一方、このタッセル３００の他端には、房掛２００に引っ掛けるための別のループ状のタッセルコード１５０が設けられている。
【００４４】
このため、図５に示すタッセル補助部品１００では、タッセルコードのループを覆う筒状の隠蔽部材１５２が設けられているため、タッセル補助部品１００のみが房掛２００に係止可能となっている。すなわち、この構成によれば、誤ってタッセル補助部品１００が接続されている側のタッセルコードのループを房掛２００に掛けることを防止できるため、効果的に安全性を高めることができる。
【００４５】
＜実施形態１のタッセル補助部品の変形例４＞
図６は、実施形態に係るタッセル補助部品１００について脱落防止カラー１６０を設けた変形例４を説明するための図面である。このタッセル補助部品１００は、分離部を構成する第一の連結部材１１５および第二の連結部材１１６の間で連結が解除された後に、房掛（房掛の軸１４４の断面を図示する）からタッセル補助部品１００自身が脱落することを防止する脱落防止手段（例えば、脱落防止カラー１６０）をさらに有している。そのため、連結解除後の復帰を容易にすることが可能である。
【００４６】
＜実施形態１のタッセル補助部品の変形例５（マグネット方式）＞
図３１及び図３２は、実施形態１に係わるループ状のタッセル補助部品の分離部１１４の変形例５である。本変形例では、図３２に示す通り分離部１１４が設けられている。分離部１１４は合成樹脂で成型されたオス型部材（第一の連結部材）１１５およびメス型部材（第二の連結部材）１１６で構成される。このメス型部材１１６は筒状に形成され、内底面には鉄板７７０（吸着手段）が設けられている。
【００４７】
オス型部材１１５の先端部は、メス型部材１１６の先端部に挿入可能とした径で形成され、先端面には鉄板７７０に吸着可能とした磁性体（吸着手段）７６４が設けられている。そして、オス型部材１１５の先端部をメス型部材１１６に挿入すると、鉄板７７０と磁性体７６４とが接し磁力により吸着するようになっている。タッセルを介して、オス型部材１１５およびメス型部材１１６に両者を引き離す方向に所定値以上の力が作用すると（好ましくは２ｋｇｆを超えると）、オス型部材１１５とメス型部材１１６との吸着が外れるようになっている。
【００４８】
このような分離部１１４で接続されたコード１１１を備えたタッセル補助部品１００では、タッセル補助部品１００のコード１１１がループ状の構造をとって、タッセル３００を房掛２００に間接的に係止している。この状態で、例えばタッセル３００に居住者等が引っ掛かった場合や無理な力がカーテンを介して働くなどした場合には、タッセル補助部品１００に引張力５００が加わり、図３２（ａ）（ｂ）に示すように、分離部１１４においてオス型部材１１５とメス型部材１１６とが外れて、タッセル補助部品１００は非ループ状（非環状）になって床に落下する。本変形例においても、図１に係る形態と同様の作用を奏する。
【００４９】
＜実施形態１のタッセル補助部品の変形例６（弾性リング式）
図３３〜図３４は、実施形態１の変形例６のタッセル補助部品を示す。変形例６では、タッセル補助部品１００は、図３３（ｂ）に示すように、螺旋状に巻かれた弾性リング１１で構成されている。弾性リング１１は、２巻弱であり、弾性リング１１に力が加わっていない状態では閉環構造になっているが、弾性リング１１の径を広げる方向に力を加えることによって、端部１１ａ，１１ｂの間に隙間を設けることができる。
【００５０】
弾性リング１１をタッセル補助部品１００として使用する際には、端部１１ａ，１１ｂの間に隙間を設け、その状態で、房掛２００の軸部１４４とタッセルコード３１０ｂを弾性リング１１に収容して、図３３（ａ）に示す状態とする。タッセルコード３１０ｂに荷重が加わっていない状態では、弾性リング１１は閉環構造になっているので、軸部１４４とタッセルコード３１０ｂは、弾性リング１１によって連結される。
【００５１】
タッセルコード３１０ｂに、図３３（ａ）の矢印Ｘ方向の荷重が加わると、弾性リング１１の端部１１ａ，１１ｂがそれぞれ矢印Ｙ１，Ｙ２の方向に移動することによって弾性リング１１が拡径されて図３４（ａ）に示す状態になる。タッセルコード３１０ｂに加わる矢印Ｘ方向の荷重が所定の閾値を超えるものである場合、図３４（ａ）の状態から弾性リング１１がさらに拡径されることによって端部１１ａ，１１ｂの間に隙間が空き、タッセルコード３１０ｂが脱落する。タッセルコード３１０ｂが脱落した後は、弾性リング１１はその弾性力によって元の形状に復帰するので、弾性リング１１を再度、開環させて弾性リング１１内にタッセルコード３１０ｂを収容することによって図３３（ａ）の状態に復帰させることができる。
【００５２】
＜実施形態１のタッセル補助部品の変形例７（弾性リング式）
図６３〜図６４は、実施形態１の変形例７のタッセル補助部品を示す。変形例７では、タッセル補助部品１００は、図６３（ｂ）に示すように、有端で円形の弾性リング１１で構成され、端部同士が対向した状態で上方にそれぞれ逆向きに環状となる端部１１ａ，１１ｂを有している。弾性リング１１は力が加わっていない状態では閉環構造になっているが、弾性リング１１の径を広げる方向に力を加えることによって、端部１１ａ，１１ｂの間に隙間を設けることができる。
【００５３】
弾性リング１１をタッセル補助部品１００として使用する際には、図６３（ｃ）及び図６４（ａ）に示すように、端部１１ａ，１１ｂの間に隙間を設け、その状態で房掛２００の軸部１４４へ挿入し、タッセルコード３１０ｂを弾性リング１１に保持する。タッセルコード３１０ｂは、２本のコードをループ固定部５１ｒで固定して環状部を形成し、環状部内に弾性リング１１を挿通可能となっている。タッセルコード３１０ｂに荷重が加わっていない状態では、弾性リング１１は閉環構造になっているので、軸部１４４からタッセルコード３１０ｂ、弾性リング１１は脱落しない。
【００５４】
タッセルコード３１０ｂに、図６４（ａ）の矢印Ｘ方向の荷重が加わると、弾性リング１１の端部１１ａ，１１ｂがそれぞれ矢印Ｃ１，Ｃ２の方向に移動することによって弾性リング１１が拡径される。タッセルコード３１０ｂに加わる矢印Ｘ方向の荷重が所定の閾値を超えるものである場合、弾性リング１１がさらに拡径されることによって端部１１ａ，１１ｂの間に隙間が空き、図６４（ｂ）に示すようにタッセルコード３１０ｂと弾性リング１１が軸部１４４から脱落する。脱落した後は、弾性リング１１はので、弾性リング１１を再度、開環させて軸部１４４に保持することによってその弾性力によって元の形状となり図６４（ａ）の状態に復帰させることができる。
【００５５】
＜実施形態１のタッセル補助部品の変形例８（弾性リング式）
図６５−１は、実施形態１の変形例８のタッセル補助部品を示す。
図６５−１は、弾性リング１１の形状は変形例７に記載の構成と同様である。タッセルコード３１０ｂは、２本のコードをループ固定部５１ｒで結束固定し、ループ固定部５１ｒと弾性リング１１とをタッセルコード３１０ｂ以外のコード８０４を巻き付けることにより連結している。
【００５６】
＜実施形態１のタッセル補助部品の変形例９（弾性リング式）
図６５−２（ａ）〜（ｂ）は、実施形態１の変形例９のタッセル補助部品を示す。この変形例では、弾性リング１１の形状が変形例７〜変形例８とは異なり、端部同士が対向した状態で上方にそれぞれ逆回転し半円形状となり端部１１ａ，１１ｂを形成している。そして、タッセルコード３１０ｂは、２本のコードはループ固定部５１ｒで結束固定され、弾性リング１１の端部１１ａ，１１ｂのどちらか一方より、弾性リング１１をループ固定部５１ｒに貫通させることにより弾性リング１１をタッセルコード３１０ｂへ係合している。
【００５７】
＜実施形態２：非ループ状のタッセル補助部品＞
図７（ａ）は、実施形態２に係る非ループ状（クリップタイプ）のタッセル補助部品１３０の外観を説明するための図面である。図７（ｂ）〜（ｃ）は、実施形態２に係るクリップタイプのタッセル補助部品１３０の内部構造および動作を説明するための図面である。本実施形態のカーテンアクセサリー１０００はタッセル補助部品１３０である。このタッセル補助部品１３０に設けられる連結機構は、タッセル補助部品１３０を引張力によって隣接する他部材（例えば、図７（ｂ）〜（ｃ）に断面を示す房掛の軸１４４）から分離する分離部（例えば、図７に示す第一のクリップ１３２および第二のクリップ１３４）を有する。なお、図７（ｂ）〜（ｃ）では、房掛の台座１４２は上下を省略して描いている。
【００５８】
図７に示すタッセル補助部品１３０の説明に戻ると、このタッセル補助部品１３０は、タッセル３００のループ状のタッセルコード１５０を挿通可能な挿通部１３８を有する。また、このタッセル補助部品１３０に設けられている分離部は、房掛の軸１４４（図７（ｂ）〜（ｃ）では断面を示す）を挟持するクリップ部（第一のクリップ１３２および第二のクリップ１３４）を有する。
【００５９】
このタッセル補助部品１３０では、２つのクリップ１３２，１３４が回転軸１３６（金属ピン挿入）において相対回転可能に連結されている。そして、このタッセル補助部品１３０は、図７（ｂ）に示すように、２つのクリップ１３２，１３４による房掛２００（房掛の軸１４４の断面を図示）に対する保持状態を維持するとともに、図７（ｃ）に示すように、所定荷重により離脱可能な状態にクリップ１３２，１３４を弾性変形させるカム機構を備えている。
【００６０】
このカム機構は、第一のクリップ１３２の回転軸１３６側の端部に設けられているカム部１４６と、第二のクリップ１３４のうちカム部１４６に当接する位置に設けられている壁１４８と、を有している。このカム機構によれば、第一のクリップ１３２のカム部１４６が、第二のクリップ１３４の壁１４８を押し当てながら開くことになる。なお、第一のクリップ１３２および第二のクリップ１３４自体にも多少の弾性があることに留意されたい。
【００６１】
これらの仕組みによって、タッセル３００に所定の値以上の荷重がかかると、タッセルコード１５０が挿通されている挿通部１３８を介してタッセル補助部品１３０に通常よりも大きな引張力がかかる。その結果、上記のカム機構およびクリップ自体の弾性によって、第一のクリップ１３２および第二のクリップ１３４が開いて、タッセル補助部品１３０が隣接する房掛２００から分離することになる。
【００６２】
ここで、第一のクリップ１３２および第二のクリップ１３４には、それぞれ誘い１４０ａ、１４０ｂが設けられている。そのため、これらの誘い１４０ａ、１４０ｂに房掛の軸１４４が導かれるために、手動でも容易に復帰時の挿入が可能である。
【００６３】
また、挿通部１３８にタッセルコード１５０より小さいスリットを設けタッセルコード１５０がループ状のままの状態でタッセルコード１５０をタッセル補助部品１３０の側面からスリットを通過させて挿通部１３８に挿通可能とすることができる。このようにした場合は、既存のタッセルに容易に装着する点において好ましい。
【００６４】
なお、ここでは詳しくは説明しないが、本実施形態のカーテンアクセサリー１０００は、タッセル３００（図７では不図示）であってもよい。この場合、上記の連結機構は、タッセル３００の一方の端部に設けられているクッリプ状の構造（第一のクリップ１３２および第二のクリップ１３４を有する分離部）とすることができる。この場合も、タッセル補助部品１３０にクリップ状の構造を設けた場合と同様の作用効果を示す。
【００６５】
＜実施形態２の変形例１：非ループ状のタッセル補助部品（マグネット方式）＞
図３５は、実施形態２の変形例１のタッセル補助部品を示す。本変形例では、図３５（ｄ）〜（ｅ）に示すように、タッセル補助部品１００は、タッセルを保持可能なタッセル保持部１３と、磁性体７６４とを備える。
【００６６】
本変形例では、房掛２００は、取付孔７００を有する台座２０２と、房掛の軸１４４とを備える。取付孔７００に取付ビス７６２を挿通して、取付ビス７６２を固定立設面４００に固定することによって房掛２００を固定立設面４００に固定することができる。取付ビス７６２としては磁石に吸着可能なものが用いられる。
【００６７】
タッセル補助部品１００のコード保持部１３にタッセルコード３１０ｂを保持させ、タッセル補助部品１００の磁性体７６４を取付ビス７６２に近づけると、タッセル補助部品１００が磁力によって取付ビス７６２に吸着されて、図３５（ｂ）に示す状態となる。なお、図１に示すように、タッセル３００は、一対のタッセルコード３１０ａ，３１０ｂを備えており、タッセルコード３１０ａは、房掛の軸１４４に掛けられる。
【００６８】
タッセルコード３１０ｂに対して、図３５（ｂ）の矢印Ｘ方向に閾値を超える荷重が加わると、タッセル補助部品１００が取付ビス７６２から外れて、図３５（ｃ）に示すように落下する。落下後にも、タッセルコード３１０ｂは、通常、コード保持部１３に保持されたままであり、タッセル補助部品１００の磁性体７６４を再度、取付ビス７６２に近づけることによって図３５（ｂ）の状態に復帰させることができる。なお、タッセル補助部品１００は、上下のビス位置のそれぞれに設けても良い。これによって、タッセルコード３１０ａ，３１０ｂの両方をタッセル補助部品１００で保持することができ、安全性がさらに高められる。
尚、取付相手の房掛の形態によっては、取付ビス７６２が台座２０２の表面位置に無い場合がある。そのような房掛に対応する為に、磁性体７６４をタッセル補助部品１００に対して突出可能に前後方向に位置調整可能としてもよい。例えば、タッセル補助部品１００に形成された磁性体７６４の収容凹部の周壁に磁性体７６４を固定するためのネジを設け、磁性体７６４を突出させた状態でネジを磁性体７６４に押し当てることによって、磁性体７６４を突出位置で固定可能としても良い。
【００６９】
＜実施形態３：タッセルコードを分離して取着するタッセル補助部品＞
【００７０】
図８（ａ）には、実施形態３のカーテンアクセサリー１０００として、タッセル３００の両端部に縫い付けるための２つのタッセルコード１５０付きのテープ１５４を示している。このように、タッセルコード１５０の紐を分割し分離部分をタッセル補助部品１００で接合してもよい。すなわち、なお、これら２つのタッセルコードの間でテープ１５４を切り離してから、タッセル３００の両端に縫い付ける。このテープ１５４に設けられている２つのタッセルコード１５０は、いずれも根本の部分でテープ１５４に一体的に編み込まれている。そして、これらの２つのタッセルコード１５０の一方は途中で切れ目が存在しないが、他方のタッセルコード１５０には途中で切れ目が入っている。そして、そのタッセルコード１５０の切れ目には分離部１６が挿入されている。
【００７１】
図８（ｂ）は、図８（ａ）の分離部１６を拡大した図面である。本実施形態では、タッセル補助部品１００の分離部（連結部１６）を構成する第一の連結部材２７および第二の連結部材２８のそれぞれに接続されているコード１９，２３を、タッセルコード１５０の両端部の軸心部に挿入して縫製することによって、タッセルコード１５０に固定されている。なお、縫製する代わりに熱溶着によって固定してもよい。
【００７２】
図８（ｂ）に示すように、タッセルコード１５０の両端部が連結部１６で連結されて無端状に形成される。タッセルコード１５０は、ポリエステルやナイロン等で形成された中芯８６ａをポリエステルで編み込まれた外皮コード８６ｂで被覆したものであり、中芯８６ａによりタッセルコード１５０の直線性が確保されるとともに、伸び方向の耐久性が確保されている。中芯８６ａのないコードでも編組み紐では無く撚り紐を使用してもよい。
【００７３】
図８（ｃ）は、図８（ａ）のタッセル補助部品１００の分離部（連結部１６）の構造を拡大した図面である。本実施形態では、タッセル補助部品１００の分離部（連結部１６）を構成する第一の連結部材２７および第二の連結部材２８は、同一材質の樹脂製であり、互いに嵌合構造の一種であるスナップ構造によって連結している。第一の連結部材２７には、嵌合突起３０が設けられており、嵌合突起３０の周囲には膨径部３１が存在する。一方、第二の連結部２８には、嵌合突起３０を挿入可能な形状の嵌合孔３５が設けられており、嵌合孔３５の周囲には膨径部３１を挿入可能な形状の凹条３２が設けられている。
【００７４】
上記のような第一の連結部材２７および第二の連結部材２８を連結するには、嵌合突部３０の膨径部３１を嵌合孔３５に挿入すると、膨径部３１が凹条３２に係合して嵌合孔３５内に保持される。この保持力は、通常のカーテン１１００をタッセル３００によって束ねて係止する時に、一方のタッセルコード１５０に挿入されたタッセル補助部品１００に作用する通常の引張り力では嵌合突部３０と嵌合孔３５の嵌合が外れることがないように設定されている（なお、そのタッセル３００には、図８（ａ）に示す２つのタッセルコード１５０の間でテープ１５４を切り離してから、タッセル３００の両端にこれら２つのタッセルコード１５０が縫い付けられている）。また、タッセル補助部品１００に通常の引張り力を超える所定の値以上の大きな引張り力が作用したときに限り、合成樹脂の弾性により嵌合孔３５の開口部が広げられて膨径部３１が凹条３２から引き抜かれ、嵌合突部３０と嵌合孔３５の嵌合が外れるようになっている。
【００７５】
＜実施形態４：タッセルループに連結機構を組込んだタッセル＞
図９は、実施形態４に係るタッセル３００のループ状のタッセルコード３１０ａ、３１０ｂに、所定の引張力により分離可能な分離部１１４を設ける構成について説明するための図面である。図１０は、本実施形態に係るタッセル３００のループ状のタッセルコード３１０ｂに設けられている分離部１１４に所定の引張力がかかったために、そのタッセルコード３１０ｂが非ループ状になってタッセル３００が垂れ下がる仕組みを説明するための図面である。
【００７６】
本実施形態のカーテンアクセサリー１０００では、図９（ａ）に示すように、実施形態１のようにタッセル補助部品１００を用いるのではなく、タッセル３００自体（タッセル本体３０２の両端部）に環状部（ループ状のタッセルコード３１０ａ、３１０ｂ）が設けられており、連結機構として、この環状部（ループ状のタッセルコード３１０ｂ）を分離して非環状とする分離部１１４を有している。図９（ｂ）は、この分離部１１４の構造を拡大して説明するための図面である。この分離部の構造は、図１（ｂ）の構造と同様であり、すでに実施形態１で詳しく説明したので繰り返さない。
【００７７】
図１０（ａ）は、このタッセル３００を用いて、房掛２００にカーテン１１００を束ねて係止した場合の構成を説明する図面である。このような分離部１１４で接続されたタッセルコード３１０ｂを備えたタッセル３００では、図１０（ａ）に示すように、タッセル３００自体が全体としてループ状の構造をとって、タッセル３００で束ねられたカーテン１１００を房掛２００に係止している。この状態で、例えばタッセル３００に居住者が引っ掛かった場合には、タッセル３００の一方の端部に設けられているタッセルコード３１０ｂに引張力５００が加わり、図１０（ｂ）に示すように、分離部１１４においてオス型部材１１５とメス型部材１１６との嵌合が外れて、タッセル自体３００が非ループ状（非環状）になって床に向かって垂れ下がる。
【００７８】
＜実施形態４の変形例１：分離部内蔵タイプ＞
図１１は、実施形態４に係るタッセル３００について分離部１１４内蔵タイプの変形例１を説明するための図である。本変形例では、図１１（ａ）で内部構造に示すように、タッセル本体３０２（装飾部材、隠蔽部材）の内部において根本側のみが縫い目３０８によって固定されたタッセルコード３１０ｂが設けられており、そのタッセルコード３１０ｂの途中に分離部１１４が設けられている。このタッセル３００を外側から見ると、図１１（ｂ）に示すように、タッセルコード３１０ｂに設けられた分離部１１４はタッセル本体３０２自体によって隠蔽される。そして、このタッセル３００のタッセルコード３１０ｂに所定の値以上の引張力がかかると、図１１（ｃ）に示すように、分離部１１４が分離して、タッセルコード３１０ｂのループ状の構造が非ループ状になる。このようにしても、タッセル３００の意匠性を向上することができる。
【００７９】
＜実施形態４の変形例２：タッセルコードを中央部の結び目で左右に分けた形のタッセル＞
タッセル３００の形状には多様な変形例がある。図１２は、本実施形態のタッセル３００の変形例２である。このように、布状のタッセル本体３０２を有さずに、タッセルコード３１０ａ、３１０ｂを中央部の結び目３０４で左右に分けた形のタッセル３００を用いることもできる。この場合には、タッセルコード３１０ｂのループ状の構造の途中に分離部１１４を設けることができる。
【００８０】
図１２は、実施形態に係るタッセル３００（結び目のある紐タイプの変形例）のループ状のタッセルコード３１０ｂに設けられている分離部１１４に所定の引張力がかかったために、そのタッセルコード３１０ｂが非ループ状になってタッセル３００が垂れ下がるか、あるいは落下する仕組みを説明するための図面である。
【００８１】
図１２（ａ）に示すように、結び目のある紐タイプのタッセル３００を用いる場合、図１２（ｂ）に示すように、カーテン１１００を開いた時に、分離部１１４が設けられていないタッセルコード３１０ａの側で房掛２００に引っ掛けている場合には、分離部１１４に所定の引張力がかかったために、そのタッセルコード３１０ｂが非ループ状になったとしても、タッセル３１０ａはループ状のままなのでタッセル３００は房掛２００から落下しない。そのため、連結解除後の復帰を容易にすることが可能である。
【００８２】
一方、図１２（ｃ）に示すように、カーテン１１００を開いた時に、分離部１１４が設けられているタッセルコード３１０ｂの側で房掛２００に引っ掛けている場合には、分離部１１４に所定の引張力がかかったために、そのタッセルコード３１０ｂが非ループ状になると、タッセル３００は房掛２００から落下する。
【００８３】
なお、分離部１１４の形状は、図１２（ｄ）に示すように比較的長細いものであってもよい。
【００８４】
＜実施形態４の変形例３：タッセルコードの分離部を装飾部材で覆った構成のタッセル＞
図１３は、本実施形態のタッセル３００に装飾部材（隠蔽部材）３０６を設けた変形例３である。タッセル３００のタッセルコード３１０に設けられた連結機構（分離部１１４）は、装飾部材（隠蔽部材）３０６によって覆われていてもよい。このように、一つながりのタッセルコード３１０を中央部の装飾部材（隠蔽部材）３０６内に設けられた貫通孔を通して左右に分けた形のタッセル３００を用いることもできる。この場合には、タッセルコード３１０構成する一つながりのループ状の構造の途中に分離部１１４を設け、その分離部１１４を装飾部材（隠蔽部材）３０６内に設けられた貫通孔の中に隠蔽することができる。このようにすれば、タッセル３００の意匠性を向上することができる。
【００８５】
図１３は、本変形例に係るタッセル３００（装飾部材３０６の内部に分離部１１４を設けた紐タイプの変形例）のループ状のタッセルコード３１０に設けられている分離部１１４に所定の引張力がかかったために、そのタッセルコード３１０が非ループ状になってタッセル３００が垂れ下がるか、あるいは落下する仕組みを説明するための図面である。
【００８６】
図１３（ａ）〜（ｂ）に示すように、装飾部材３０６のある紐タイプのタッセル３００を用いる場合、分離部１１４に所定の引張力がかかると、そのタッセルコード３１０は一つながりの構造であるため、装飾部材３０６内の貫通孔中に存在している分離部１１４にも引張力は伝わるため、図１３（ｃ）に示すように、タッセルコード３１０は非ループ状となり、タッセル３００は房掛２００から落下する。そのため、意匠性を損なうことなく装飾部材３０６のある紐タイプのタッセル３００を用いて安全性を向上させることができる。
【００８７】
＜実施形態４の変形例４：タッセルコードに弾性リングを内蔵した構成のタッセル＞
図３６は、タッセル３００のタッセルコード３１０に弾性リング１５を内蔵した変形例４を示す。本変形例では、弾性リング１５は、端部１５ａ，１５ｂが隙間Ｇで離間されている非ループ状の弾性リングである。隙間Ｇは、房掛２００の軸１４４の直径よりも狭くなっており、弾性リング１５を拡径させて隙間Ｇを軸１４４の直径よりも大きくした状態で弾性リング１５内に軸１４４を収容した後に弾性リング１５を元の状態に戻すことによってタッセルコード３１０を軸１４４に連結させることができる。
【００８８】
タッセルコード３１０に図３６（ｄ）の矢印Ｘ方向の荷重が加わると端部１５ａ，１５ｂがそれぞれ矢印Ｙ１，Ｙ２方向に移動することによってその間の隙間Ｇが広がり、タッセルコード３１０に加わる矢印Ｘ方向の荷重が所定の閾値を超えるものである場合には隙間Ｇが軸１４４の直径よりも大きくなり、タッセルコード３１０が軸１４４から脱落する。この後、弾性リング１５を再度、拡径して、タッセルコード３１０を軸１４４に係合させることによって、図３６（ｄ）の状態に復帰させることができる。
【００８９】
＜実施形態４の変形例５：外付弾性リング＞
変形例４では、弾性リング１５をタッセルコード３１０に内蔵させることによってタッセルコード３１０を軸１４４に係合可能にしたが、変形例５では、弾性リング１５を内蔵とせずに、タッセルコード３１０を図３７（ｂ）に示すように軸１４４の下側から軸１４４を取り囲むように配置した状態でタッセルコード３１０の外側からタッセルコード３１０を軸１４４に対して締め付けるように弾性リング１５を装着する。本変形例によれば、弾性リング１５が外付けであるので、ユーザーが使用中のタッセルにも容易に導入可能である。
本変形例の作用効果は、変形例４と同様であり、タッセルコード３１０に加わる矢印Ｘ方向の荷重が所定の閾値を超えるものである場合には隙間Ｇが軸１４４の直径よりも大きくなり、タッセルコード３１０が軸１４４から脱落する。この後、上記と同様の方法でタッセルコード３１０を軸１４４に再度、取り付けることができる。
【００９０】
＜実施形態４の変形例６：外付弾性リング＞
変形例６では、実施形態１の変形例６で用いたのと同様の螺旋状に巻かれた弾性リング１１（図３８（ａ）〜（ｂ）に図示）を用いて、タッセルコード３１０を軸１４４に取り付ける。
具体的には、タッセルコード３１０を図３８（ｃ）に示すように軸１４４の下側から軸１４４を取り囲むように配置した状態で、軸１４４を取り囲むループを形成するようにタッセルコード３１０に弾性リング１１を装着する。弾性リング１１は、弾性リング１１を拡径させることによって端部１１ａ，１１ｂの間に隙間を設けることができるので、弾性リング１１を拡径させた状態で端部１１ａ，１１ｂの間に隙間からタッセルコード３１０を弾性リング１１内に収容することによって、タッセルコード３１０に弾性リング１１を装着することができる。
また、図３８（ｃ）の矢印Ｘ方向に所定の閾値を超える荷重が加わると、弾性リング１１が拡径されることによって開環し、タッセルコード３１０から弾性リング１１から外れることによって、タッセルコード３１０が軸１４４から脱落する。この後、上記と同様の方法でタッセルコード３１０を軸１４４に再度、取り付けることができる。
【００９１】
＜実施形態５−１：分離部を内部に組込んだ房掛（突出軸と引掛部の間に分離部）＞
図１４は、実施形態に係る房掛２００に所定の引張力により分離可能な分離部１１４を突出軸２０４および引掛部２０６の間に設ける構成について説明するための図面である。本実施形態のカーテンアクセサリー１０００は、房掛２００を備えており、連結機構として、房掛２００を引張力によって複数の部分に分離する分離部１１４を有する。
【００９２】
この房掛２００は、図１４（ａ）および図１４（ｂ）に示すように、壁または窓枠などの固定立設面４００に固定される台座２０２を備える。また、この房掛２００は、その台座２０２から突出する突出軸２０４を備える。また、この房掛２００は、その突出軸２０４に支持され、タッセル３００またはタッセル補助部品１００（図１４（ｂ）では、タッセル補助部品１００のコード１１１）を引っ掛けるための引掛部２０６を備える。そして、上記の分離部１１４は、突出軸２０４および引掛部２０６の間に設けられている。
【００９３】
そして、図１４（ｂ）および図１４（ｃ）に示すように、突出軸２０４の上辺は、分離部１１４に設けられているトリガー（突出軸２０４の上辺および引掛部２０６の内側面の接点）に向かい低くなるように傾斜している。そのため、タッセル３００またはタッセル補助部品１００（図１４（ｂ）では、タッセル補助部品１００のコード１１１）がトリガー（突出軸２０４の上辺および引掛部２０６の内側面の接点）に当接し引張力５００をかけることにより、分離部１１４の連結が解除される。
【００９４】
図１４（ｃ）は、この分離部１１４の垂直断面図である。図１４（ｄ）は、房掛２００の構成を示す斜視図である。これらの図に示すように、突出軸２０４の円筒状に膨らんだ先端部２１０に、引掛部２０６の天井のある円筒状の空隙を上からスライドさせて嵌めこむことによって、分離部１１４で引掛部２０６および突出軸２０４が連結している。そのため、図１４（ｂ）に示すように、分離部１１４で引掛部２０６および突出軸２０４の連結が解除されることになる。
【００９５】
この分離部１１４の保持力は、通常のカーテン１１００をタッセル３００によって束ねて係止する時にタッセル補助部品１００のコード１１１を介してトリガー（突出軸２０４の上辺および引掛部２０６の内側面の接点）に作用する通常の引張力では引掛部２０６および突出軸２０４の連結が外れることがないように設定されている。また、トリガー（突出軸２０４の上辺および引掛部２０６の内側面の接点）に通常の引張力を超える所定の値以上の大きな引張力が作用したときに限り、弾性により引掛部２０６が弾性により広がるか又は突出軸２０４の円筒状に膨らんだ先端部２１０が縮小して引掛部２０６の天井のある円筒状の空隙が先端部２１０から外れ、引掛部２０６および突出軸２０４の連結が外れることになる。
【００９６】
＜実施形態５−２：分離部を内部に組込んだ房掛（台座と突出軸の間に分離部）＞
図１５は、実施形態に係る房掛２００に所定の引張力により分離可能な分離部１１４を台座２０２と突出軸２０４との間に設ける構成（突出軸２０４が分離したとき落下を防止する保持コード２１８を内蔵する変形例を含む）について説明するための図面である。
【００９７】
この房掛２００も、図１５（ａ）および図１５（ｂ）に示すように、壁または窓枠などの固定立設面４００に固定される台座２０２を備える。また、この房掛２００も、その台座２０２から突出する突出軸２０４を備える。また、この房掛２００は、その突出軸２０４に支持され、タッセル３００またはタッセル補助部品１００（図１５（ｂ）でも、タッセル補助部品１００のコード１１１）を引っ掛けるための引掛部２０６を備える。ただし、図１４（ａ）および図１４（ｂ）とは異なり、上記の分離部１１４は、台座２０２および突出軸２０４の間に設けられている。なお、この分離部１１４では、回転嵌合構造によって台座２０２および突出軸２０４を連結しており、かつ嵌合が解除された後に手動で回転させながら再嵌合可能であるように構成されている。例えば、図３の３５、３７のメス形状に対し３０、３１のオス形状と類似する形態を台座、突出軸に設けることができる。
【００９８】
そして、図１５（ｂ）および図１５（ｃ）に示すように、タッセル３００またはタッセル補助部品１００（図１５（ｂ）では、タッセル補助部品１００のコード１１１）が突出軸２０４の上辺または引掛部２０６の内側面に当接し引張力５００をかけることにより、分離部１１４にも力がかかって連結が解除される。なお、図１５（ｂ）および図１５（ｃ）では、突出軸２０４全体がトリガーとなる為突出軸２０４の上辺は傾斜していなくてもよい。
【００９９】
また、図１５（ｃ）、図１５（ｄ）および図１５（ｅ）に示すように、この房掛２００は、分離部１１４が連結している状態では床に落下しない状態にある突出軸２０４および引掛部２０６が、分離部１１４の連結が解除されたときにも床に落下しないように保持する保持手段として保持コード２１８を備えている。また、通常時（復帰時）に余分な保持コード２１８を収容可能な収容部２１９を設けている。図１５（ｄ）に示すように突出軸２０４下方にスリットが設けられ、余分な保持コード２１８を仕込み可能となっている。尚、保持コード２１８を台座側に押し込み可能とすることにより収容部２１９は台座内に設けても良い。
【０１００】
すなわち、分離部１１４の連結が解除されたときにも台座２０２が床に落下しないように保持する保持コード２１８が、台座２０２および突出軸２０４の間に設けられている。そして、この保持コード２１８の両末端は台座２０２および突出軸２０４に設けられた貫通孔に挿入されており、それらの両末端に存在する貫通孔の径よりも大きな結び目２２０によって固定されている。そのため、分離部１１４の連結が解除されたときにも突出軸２０４および引掛部２０６が床に落下しないため、連結解除後の復帰を容易にすることが可能である。
【０１０１】
＜実施形態６：スライド方式の房掛＞
図１６は、実施形態に係る房掛２００に所定の引張力により分離可能な分離部１１４を台座２０２と取付台２３０との間に設ける構成（上下スライド方式の変形例）について説明するための図面である。また、図１７は、実施形態に係る房掛２００（上下スライド方式の変形例）の台座２０２および取付台２３０の構成について斜視図を用いて説明するための図面である。
【０１０２】
この房掛２００は、図１６（ａ）、図１６（ｂ）、図１６（ｃ）、図１７（ａ）および図１７（ｂ）、図１７（ｃ）に示すように、壁または窓枠などの固定立設面４００に図１７（ｃ）に示す取付孔４０１に対しビス等で取り付けられる取付台２３０を備える。また、この房掛２００は、取付台２３０に係止する台座２０２を備える。台座２０２は図１６（ｃ）に示すように、通常時露出しないよう取付台２３０を覆うようになっている。また、この房掛２００は、台座２０２から突出する突出軸２０４を備える。また、この房掛２００は、突出軸２０４に支持され、タッセル３００またはタッセル補助部品１００（図１６（ｃ）および図１６（ｄ）では、タッセル補助部品１００のコード１１１）を引っ掛けるための引掛部２０６を備える。そして、上記の分離部１１４は、台座２０２および取付台２３０の間に設けられている。
【０１０３】
この取付台２３０は、図１６（ａ）、図１６（ｂ）、図１６（ｃ）、図１７（ａ）および図１７（ｂ）に示すように、台座２０２を係止するための台座係止部として台座係止用の小突起２３４を備える。また、この取付台２３０は、台座２０２を略上下方向にスライドさせるためのスライド溝２３２を備える。これらの図面では、このスライド溝２３２は、上から下に向かって、固定設立面４００から遠ざかるように傾斜している。図１６（ｂ）に示すように、上傾斜面の溝開口から挿入し、スライド溝２３２内に台座の内側への突出軸２４０が挿通可能となっている。スライド溝２３２は上開口部で前後方向に広く、上下方向中間部分では垂直で壁面との間の幅がほぼ台座の内側への突出軸２４０の直径と同じ幅で形成されている。下方では前面側に向かって傾斜する部分を備え、傾斜する部分の上部には小突起２３４を備え、溝の前後幅を台座の内側への突出軸２４０より狭めた保持部を構成している。
【０１０４】
そのため、図１６（ｃ）および図１６（ｄ）に示すように、タッセル３００またはタッセル補助部品１００（図１６（ｃ）および図１６（ｄ）では、タッセル補助部品１００のコード１１１）が突出軸２０４または引掛部２０６に当接し力をかけることにより、台座の内側への突出軸２４０が小突起２３４を乗り越え、台座２０２がスライド溝２３２に沿って下方向にスライドして、分離部１１４における連結が解除される。このとき、スライド溝２３２は、上から下に向かって、固定設立面４００から遠ざかるように傾斜しているため、台座２０２の天井が取付第２３０にぶつかり引っかかることを防ぐことができる。
【０１０５】
＜実施形態７：スナップ嵌合方式の房掛＞
図１８は、本発明の実施形態に係る房掛２００に所定の引張力により分離可能な分離部１１４を突出軸２０４および台座２０２の間に設ける構成について説明するための図面である。本実施形態のカーテンアクセサリー１０００は、房掛２００を備えており、連結機構として、房掛２００を引張力によって複数の部分に分離する分離部１１４を有する。分離部１１４は分離ライン７１０を境として下方に分離可能な構成である。
【０１０６】
この房掛２００は、図１８及び図１９（ａ）（ｂ）に示すように、壁または窓枠などの固定立設面４００に取付孔７００に取り付けビスを打ち込むことにより固定される台座２０２を備える。また、この房掛２００は、下方において図１８のＸ軸方向に突出する突出軸２０４を備える。また、その突出軸２０４に支持されるタッセル３００またはタッセル補助部品１００を引っ掛けるための図１８のＺ軸方向に延設され突出軸２０４と一体に成形された引掛部２０６を備える。
【０１０７】
そして、図１９（ｃ）に示すように、突出軸２０４の基端部には、上方に向かって伸びる一対のスナップ腕部７１２と、各スナップ腕部の基端部の両側にスリット７１１が設けられている。スナップ腕部の先端には、先端に向かい先細りとなるテーパ面と膨径部７１３が形成されている。スナップ腕部７１２は突出軸２０４と一体に合成樹脂で成形され、Ｙ軸方向に弾性的に撓むようになっている。尚、２本のスナップ腕部７１２に挟まれてスナップ腕部と平行に突出する突出片７１６が設けられている。
【０１０８】
図１９（ｂ）に示すように、台座２０２の下端部には下方に向かい開口された開口部７１５を備えている。開口部７１５はスナップ腕部７１２が挿入可能な矩形となっている。また、開口部７１５にはスナップ腕部７１２の膨径部７１３が係止可能な段部７１４が設けられている。従って、突出軸２０４を台座２０２の下端部に対し下から嵌合することが可能である。その際、突出片７１６が開口部７１５とほぼ同じで僅かに短い長さに形成されている為、容易に挿入することができる。
【０１０９】
この分離部１１４の保持力は、通常のカーテン１１００をタッセル３００によって束ねて係止する時にタッセル補助部品１００のコード１１１を介してトリガー（突出軸２０４の上辺および引掛部２０６の内側面の接点）に作用する通常の引張力では引掛部２０６および突出軸２０４の連結が外れることがないように設定されている。また、トリガー（突出軸２０４の上辺および引掛部２０６の内側面の接点）に通常の引張力を超える所定の値以上の大きな引張力が作用したときに限り、弾性により２本のスナップ腕部７１２が弾性によりその間隔が狭くなり開口部の段部７１４から外れ、突出軸２０４の連結が外れることになる。また、固定立設面４００に残った台座２０２の下端部に対し、突出軸２０４を開口部７１５に対しスナップ腕部７１２を下から挿し込むことにより再嵌合することが可能である。
【０１１０】
＜実施形態７：スナップ嵌合方式の房掛（変形例１）＞
図２０及び図２１は、前述の実施形態に係る房掛２００の分離部１１４の形成位置の変形例１である。本変形例では、図２０に示す通り分離部１１４は突出軸２０４の基端部に設けられ、房掛２００の前後方向に分離可能に設けられている。
【０１１１】
図２１（ａ）に示す通り、開口部７１５は台座２０２の垂直面に対し開口して形成され、開口部７１５の段部７１４は左右に一対設けられ（左側は不図示）、さらに図２１（ｂ）に示す通り、突出軸２０４のスナップ腕部７１２は水平方向に突出するよう形成される他は前述の形態とほぼ同構成である。本変形例においても、図１８に係わる形態と同様の作用を奏する。
【０１１２】
＜実施形態８：回動式スナップ嵌合方式の房掛＞
図２２は、実施形態に係る房掛２００に所定の引張力により分離可能な分離部１１４を突出軸２０４および引掛部２０６の間に設ける構成について説明するための図面である。本実施形態のカーテンアクセサリー１０００は、房掛２００を備えており、連結機構として、房掛２００を引張力によって複数の部分に分離する分離部１１４を有する。
【０１１３】
この房掛２００は、図２２（ａ）および図２２（ｂ）に示すように、壁または窓枠などの固定立設面４００に固定される台座２０２を備える。また、この房掛２００は、その台座２０２から突出する突出軸２０４を備える。また、この房掛２００は、その突出軸２０４に支持され、タッセル３００またはタッセル補助部品１００を引っ掛けるための引掛部２０６を備える。そして、上記の分離部１１４は、突出軸２０４および引掛部２０６の間に設けられている。
【０１１４】
そして、図２２（ａ）および図２４に示すように、突出軸２０４の上辺は、分離部１１４に設けられているトリガー（引掛部２０６の内側面の接点）に向かい低くなるように傾斜している。そのため、タッセル３００またはタッセル補助部品１００がトリガー（引掛部２０６の内側面の接点）に当接し引張力５００をかけることにより、分離部１１４の連結が解除される。
【０１１５】
図２３は、この房掛２００の構成を示す斜視図である。これらの図に示すように、突出軸２０４の先端には１対の軸支持部７２４、及び軸支持部７２４により支持された回動軸７２５が形成されている。引掛部２０６の下端部には、突出軸２０４の回動軸７２５に対して嵌合可能な軸受部７２２が設けられている。引掛部２０６を突出軸２０４へ嵌め込んだ状態では、図２３及び図２２（ｂ）の部分断面図に示す通り引掛部２０６の下端接触面（７２０，７２１）に突出軸２０４の先端接触面７２３が当接しているため、図２２に示す通常のタッセル使用時には引掛部２０６が図２２（ｂ）の矢印Ｆ方向には傾動しないようになっている。また、図２２（ａ）に示すように軸支持部７２４の上面と引掛部２０６の下端面も接触している為、矢印Ｆと逆方向にも通常使用時には傾動しない。
【０１１６】
この分離部１１４の保持力は、通常のカーテン１１００をタッセル３００によって束ねて係止する時にタッセル補助部品１００のコード１１１を介してトリガーに作用する通常の引張力では引掛部２０６および突出軸２０４の連結が外れることがないように設定されている。また、トリガー（突出軸２０４の上辺および引掛部２０６の内側面の接点）に通常の引張力を超える所定の値以上の大きな引張力が作用したときに限り、図２４に示すように引掛部２０６が矢印Ｆ方向に傾動しながら軸受部７２２が弾性により広がって、回動軸７２５に対して軸受部７２２が外れ、引掛部２０６および突出軸２０４の連結が外れることになる。そして、再度固定立設面４００に固定された状態で残った台座２０２に対し引掛部２０６を正面から回動軸７２５に軸受部７２２を当接するように嵌め込むことにより、再復帰をすることが可能である。
【０１１７】
＜実施形態８：回動式スナップ嵌合方式の房掛（変形例１）＞
図５８（ａ）、（ｂ）、（ｃ）、（ｄ）は、実施形態に係る房掛２００に所定の引張力により分離可能な分離部１１４を突出軸２０４および引掛部２０６の間に設ける構成についての変形例を説明するための図面である。本変形例では、着脱可能な部材を設けることにより、解除力弱モード（図５８（ｂ）〜（ｃ）の状態）と解除力強モード（図５８（ｄ）の状態）とを選択できるようにした点に特徴がある。着脱可能な部材の一例として、図５８（ａ）に示す通り引掛部２０６に開口部７１５を設けた上で、開口部７１５に対し着脱可能な第二突出部材８００を備え、第二突出部材８００の上面でコード１１１を保持することにより解除力弱モードを選択できるようにしたものである。
【０１１８】
この房掛２００は、実施形態８にて詳述した構成を基本とし、図５８（ａ）および図５８（ｂ）、図５８（ｃ）に示すように、コード１１１、タッセル３００またはタッセル補助部品１００を引っ掛けるための引掛部２０６の台座２０２に対向する面に開口部７１５を備える。開口部７１５の形状は、Ｔ字型となっている。
【０１１９】
第二突出部材８００は図５８（ａ）に示す通り平板形状であり、引掛部２０６に設けた開口部７１５に嵌合可能な幅、高さ形状となっている。そして引掛部２０６側は左右両側より切込みを有している。第二突出部材８００を開口部７１５に嵌合させるには、開口部７１５の幅広部に第二突出部材８００を差し込み、下方へ移動させる。このようにして第二突出部材８００を開口部７１５に嵌合可能となっている。第二突出部材８００の台座２０２側は、図５８（ｂ）に示す通り台座２０２に当接している。
【０１２０】
また、図５８（ｂ）に示すように、第二突出部材８００は、台座２０２側から引掛部２０６側に向かい低くなるように傾斜している。
【０１２１】
図５８（ａ）は、この房掛２００の構成を示す斜視図である。この図に示すように、突出軸２０４の先端には１対の軸支持部７２４、及び軸支持部７２４により支持された回動軸７２５が形成されている。引掛部２０６の下端部には、突出軸２０４の回動軸７２５に対して嵌合可能な軸受部７２２が設けられている。引掛部２０６を突出軸２０４へ嵌め込んだ状態では、図５８（ａ）の斜視図及び図５８（ｃ）の部分断面図に示す通り引掛部２０６の下端下部接触面７２１に突出軸２０４の先端接触面７２３が当接しているため、図５８（ｂ）に示す通常のタッセル使用時には引掛部２０６が図５８（ｃ）の矢印Ｆ方向には傾動しないようになっている。また、図５８（ａ）に示すように軸支持部７２４の上面と引掛部２０６の下端面２０６ａ、及び下端上部接触面７２０と先端接触面７２３も接触している為、矢印Ｆと逆方向にも通常使用時には傾動しない。尚、嵌合力は実施形態８よりも大きくする設定することが可能である。
【０１２２】
本実施例では、コード１１１を分離部１１４ではなく、第二突出部材８００の上面および引掛部２０６の内側面の接点で保持する。その為、図５８（ｃ）に示すようにコード１１１に所定角度Ｃ傾斜した状態で引張力５００が所定の値以上の引張力が作用したときに、引掛部２０６が矢印Ｆ方向に傾動しながら軸受部７２２が弾性により広がって、回動軸７２５に対して軸受部７２２が外れ、引掛部２０６および突出軸２０４の連結が外れることになる。また、図５８（ｂ）〜（ｃ）に示す解除力弱モードでは、図５８（ｄ）に示す解除力強モードよりも、コード１１１の保持位置と回動軸７２５の間の距離が長いので、その分だけ、小さな引張力で引掛部２０６と突出軸２０４の連結が外れる。
【０１２３】
本実施形態の解除力弱モード（図５８（ｂ）〜（ｃ）の状態）では、実施形態８にて詳述した構成と同様に引掛部２０６と突出軸２０４との連結が外れる。そして、解除力強モードを選択する際には、第二突出部材８００を開口部７１５から取り外し、図５８（ｄ）の状態で使用することが可能である。そして、どちらを選択した場合においても、解除された後復帰させるには、台座２０２に対し引掛部２０６を正面から回動軸７２５に軸受部７２２を当接するように嵌め込むことにより、復帰をすることが可能である。
【０１２４】
＜実施形態８：回動式スナップ嵌合方式の房掛（変形例２）＞
図５９（ａ）〜（ｃ）は、実施形態に係る房掛２００に所定の引張力により分離可能な分離部１１４を突出軸２０４および引掛部２０６の間に設ける構成についての変形例を説明するための図面である。本変形例でも、着脱可能な部材を設けることにより、解除力弱モードと解除力強モードとを選択できるようにしている。具体的には、図５９（ａ）に示す通り台座２０２に開口部７１５を設け、開口部７１５に着脱可能な第二突出部材８００を設けている。また、実施形態８の変形例1に比べてコード１１１、タッセル３００またはタッセル補助部品１００を支点を前方に（台座２０２から離れる方向に）出し解除力弱モードで容易に回転するようにした点にも特長がある。
【０１２５】
図５９（ａ）〜（ｃ）に示すように、台座２０２は、引掛部２０６に対向する面に開口部７１５を備える。開口部７１５の形状は、Ｔ字型となっている。
第二突出部材８００は図５９（ａ）に示す通り平板形状であり、台座２０２に設けた開口部７１５に嵌合可能な幅、高さ形状となっている。そして台座２０２側は左右両側より切込みを有している。第二突出部材８００を開口部７１５に嵌合させるには、開口部７１５の幅広部に第二突出部材８００を差し込み、その後突出軸２０４側へ第二突出部材８００を移動させる。このようにして第二突出部材８００を開口部７１５に嵌合可能となる。第二突出部材８００の引掛部２０６側は、図５９（ｂ）に示す通り引掛部２０６に設けた受け部８０１に当接している。
そして、図５９（ｂ）に示すように、第二突出部材８００は、台座２０２側から引掛部２０６側に向かい低くなるように傾斜している。
【０１２６】
図５９（ａ）は、この房掛２００の構成を示す斜視図である。この図に示すように、突出軸２０４の先端には１対の軸支持部７２４、及び軸支持部７２４により支持された回動軸７２５が形成されている。引掛部２０６の下端部には、突出軸２０４の回動軸７２５に対して嵌合可能な軸受部７２２が設けられている。引掛部２０６を突出軸２０４へ嵌め込んだ状態では、図５９（ａ）の斜視図及び図５９（ｃ）の部分断面図に示す通り引掛部２０６の下端下部接触面７２１に突出軸２０４の先端接触面７２３が当接しているため、図５９（ｂ）に示す通常のタッセル使用時には引掛部２０６が図５９（ｃ）の矢印Ｆ方向には傾動しないようになっている。また、図５９（ａ）に示すように軸支持部７２４の上面と引掛部２０６の下端面２０６ａ、及び下端上部接触面７２０と先端接触面７２３も接触している為、矢印Ｆと逆方向にも通常使用時には傾動しない。
【０１２７】
本実施例では、コード１１１を分離部１１４ではなく、引掛部２０６に設けたコード支持部８０２を支点とする。その為、図５９（ｃ）に示すようにコード１１１に引張力５００に通常の引張力を超える所定の値以上の引張力が作用したとき、引掛部２０６が矢印Ｆ方向に容易に傾動し、軸受部７２２が弾性により広がって、回動軸７２５に対して軸受部７２２が外れ、引掛部２０６および突出軸２０４の連結が外れることになる。
本実施形態の解除力弱モードでは、実施形態８にて詳述した構成と同様に引掛部２０６と突出軸２０４との連結が外れる。そして、解除力強モードを選択する際には、第二突出部材８００を開口部７１５から取り外して使用する。そして、どちらを選択した場合においても、解除された後復帰させるには、台座２０２に対し引掛部２０６を正面から回動軸７２５に軸受部７２２を当接するように嵌め込むことにより、復帰をすることが可能である。
【０１２８】
＜実施形態９：突出軸にトリガーが設けられた房掛＞
図２５は、本発明の実施形態に係る房掛２００に所定の引張力により分離可能な分離部１１４を突出軸２０４および引掛部２０６の間に設ける構成について説明するための図面である。本実施形態のカーテンアクセサリー１０００は、房掛２００を備えており、連結機構として、房掛２００を引張力によって複数の部分に分離する分離部１１４を有する。
【０１２９】
この房掛２００は、図２５に示すように、壁または窓枠などの固定立設面４００に固定される台座２０２を備える。また、この房掛２００は、その台座２０２から突出する突出軸２０４を備える。また、この房掛２００は、その突出軸２０４にタッセル３００またはタッセル補助部品１００を支持可能であり、タッセル３００またはタッセル補助部品１００を通常は落下しないように引っ掛けるための引掛部２０６を備える。そして、上記の分離部１１４は、突出軸２０４および引掛部２０６の間に設けられている。
【０１３０】
さらに、図２５及び図２６（ａ）および図２６（ｂ）に示すように、突出軸２０４の下方には、台座２０２から突出して引掛部２０６を回動可能に支持する保持突出軸７４０が設けられている。図２６（ａ）及び（ｂ）の部分断面図に示すように、引掛部２０６の下部には、開口凹部７５２が台座２０２側の側面及び下端面が開口するように設けられている。開口凹部７５２には支持軸７５０が図２６（ａ）の左右方向に貫通するよう固定されている。そして、支持軸７５０は引掛部２０６に対しても貫通して一対設けられた軸受孔７５３により軸受けされて保持突出軸７４０に対し回動可能に支持されるようになっている。
【０１３１】
突出軸２０４は保持突出軸７４０よりも上下方向に薄く板状に形成されて弾性を有し、タッセル３００またはタッセル補助部品１００がトリガー（突出軸２０４）に当接し引張力５００をかけることにより、分離部１１４の連結が解除されるようになっている。
【０１３２】
また、図２６（ａ）の突出軸２０４の断面図に示されるように、突出軸２０４の先端には係止凹部７５４が設けられ、図２６（ｂ）に示すように引掛部２０６の開口凹部７５２の中央部に設けられた係止凸部７５１が突出軸２０４の凹部に嵌合され引掛部２０６の姿勢を維持する。突出軸２０４に設けられた係止凹部７５４は保持突出軸７４０の幅よりも狭い為、タッセル３００またはタッセル補助部品１００の前後方向への移動を阻止しない。
【０１３３】
この分離部１１４の保持力は、通常のカーテン１１００をタッセル３００によって束ねて係止する時にトリガー（突出軸２０４）に作用する通常の引張力では引掛部２０６および突出軸２０４の連結が外れることがないように設定されている。また、トリガー（突出軸２０４）に通常の引張力を超える所定の値以上の大きな引張力が作用したときに限り、トリガー（突出軸２０４）が弾性により下方に撓み、突出軸２０４の係止凹部７５４から係止凸部７５１が外れ、引掛部２０６および突出軸２０４の連結が外れ、図２７に示すようにタッセル３００またはタッセル補助部品１００が突出軸２０４に引っ掛かることなく抜け落ちることになる。
【０１３４】
また、引掛部２０６が分離部１１４の連結が解除されたときにも床に落下しないように保持する保持手段として保持突出軸７４０及びを備えている為、分離部１１４の連結が解除されたときにも引掛部２０６が床に落下しないように保持可能である。そして、分離部１１４の連結が解除された後、再度引掛部２０６を保持突出軸７４０を中心に逆回転させ、突出軸２０４の係止凹部７５４に引掛部２０６の係止凸部７５１を嵌め込むことにより、容易に復帰させることが可能である。
【０１３５】
＜実施形態１０：マグネット方式の房掛＞
図２８は、実施形態に係る房掛２００に所定の引張力により分離可能な分離部１１４を突出軸２０４および引掛部２０６の間に設ける構成について説明するための図面である。本実施形態のカーテンアクセサリー１０００は、房掛２００を備えており、連結機構として磁力により保持可能とし、房掛２００を引張力によって複数の部分に分離する分離部１１４を有する。
【０１３６】
この房掛２００は、図２８（ａ）、図２８（ｂ）、図２９（ｂ）に示すように、壁または窓枠などの固定立設面４００に固定される台座２０２を備える。台座２０２には１つ以上の取付孔７００を有する。また、その台座２０２から突出する突出軸２０４を備える。突出軸２０４に支持されるタッセル３００またはタッセル補助部品１００を引っ掛けるための引掛部２０６を備える。そして、上記の分離部１１４は、突出軸２０４および引掛部２０６の間に設けられている。台座２０２の固定立設面４００側の面には回り止め７６７が設けられており、１本の取付ビスにより固定する形式でもビス打ちの際固定立設面４００に食い込んで回り止めされるため取り付けが容易となる。
【０１３７】
図２８（ａ）に示すように、取付孔７００には取付ビス７６２（吸着手段）が挿通可能となっている。図２８（ｃ）及び図２８（ｅ）に示すように、突出軸２０４と引掛部２０６が一体に成形され、突出軸２０４の基端部には保持ベース７６１が形成されている。保持ベース７６１の端面には凹部が設けられるとともに凹部内に磁性体７６４（吸着手段）が設けられている。尚、磁性体７６４は保持ベース７６１に対し接着などにより別体で設けても一体成形してもよい。尚、通常使用時にタッセルが容易に引掛部２０６から抜けないように第一突起７６３、第二突起７６５を適宜設けても良い。
【０１３８】
図２９に示すように、保持ベース７６１を台座２０２に組み付けた状態では磁性体７６４と取付孔７００とが対向するような位置にあるため、タッセル３００またはタッセル補助部品１００を通常使用する時は磁性体７６４と取付ビス７６２（吸着手段）とが吸着されて台座２０２に対し引掛部２０６が保持可能となっている。そして、タッセル３００またはタッセル補助部品１００がトリガー（突出軸２０４の上面又は引掛部２０６の内側面の接点）に当接し引張力５００をかけることにより、分離部１１４の連結が解除される。
【０１３９】
この分離部１１４の保持力は、通常のカーテン１１００をタッセル３００によって束ねて係止する時にタッセル補助部品１００のコード１１１を介してトリガー（突出軸２０４の上辺および引掛部２０６の内側面の接点）に作用する通常の引張力では台座２０２および突出軸２０４の連結が外れることがないように設定されている。また、トリガーに通常の引張力を超える所定の値以上の大きな引張力が作用したときに限り、図２９（ｃ）に示すように引掛部２０６が矢印Ｇ方向に傾動しながら保持ベース７６１の下端部を支点として、回動して磁性体７６４と取付ビス７６２との吸着が外れ、台座２０２および突出軸２０４の連結が外れることになる。そして、再度固定立設面４００に固定された状態で残った台座２０２に対し引掛部２０６を正面から保持凹部７６０に保持ベース７６１を挿入して、再復帰をすることが容易に可能となっている。
【０１４０】
また、取付ビス７６２は保持ベース７６１により覆われる為、極めて美観に優れる。保持ベース７６１が共通で異なる種類のデザインの引掛部２０６を複数備えることにより取付ビスの着脱をすること無くイメージを変えることができる。
【０１４１】
＜実施形態１０：マグネット方式の房掛（変形例１）＞
図３０は、前述の実施形態に係わる房掛２００の分離部１１４の変形例１である。本変形例では、図３０に示す通り分離部１１４は突出軸２０４の先端部に設けられている。
【０１４２】
図３０（ａ）に示す通り、保持凹部７６０は引掛部２０６の垂直面に一部が開口するよう形成され、保持凹部７６０の底面に鉄板７７０（吸着手段）が固定されている。突出軸２０４の上面は先端に向かうに連れ低くなるよう傾斜し、突出軸２０４の先端部には磁性体７６４が設けられている。通常、組み付けた状態では磁性体７６４と鉄板７７０との吸着力により保持される。また、通常使用時より強い力がタッセルに作用するとタッセルがトリガーである引掛部２０６の内接面に当接し、図３０（ｂ）に示す通り磁性体７６４と鉄板７７０との吸着が解除されて分離する。本変形例においても、図１８に係わる形態と同様の作用を奏する。
【０１４３】
＜実施形態１１：回転フック式セーフティ房掛＞
次に、図３９〜図４２を用いて、実施形態１１について説明する。
【０１４４】
実施形態１１では、房掛２００は、台座２０２と回転フック２０３とで構成されており、回転フック２０３の両側面に設けた回転軸２２７ａ、２２７ｂが、台座２０２の側壁に対向するように設けた一対の軸受２１７ａ、２１７ｂによって支持されることによって、回転フック２０３が台座２０２に回転可能に支持されている。台座２０２は、ビス（不図示）を取付孔２１９ａ、２１９ｂに挿通させた後に固定立設面４００にねじ込む等の方法によって固定立設面４００に固定される。
【０１４５】
台座２０２の底壁１７には、突起１３が設けられており、回転フック２０３の錘部２０９の下部に設けた突起２３９ｂが突起１３と当接することによって、フック部２１３にかかる下向きの荷重が閾値以下である場合に、回転フック２０３が回転することが妨げられる。一方、図３９（ａ）に示すようにタッセルコード３１０ｂに矢印Ｘ方向の力が加わると、タッセルコード３１０ｂがフック部２１３に加える分力によって、回転軸２２７ａ、２２７ｂを回転中心とするトルクがフック部２１３に加えられ、これによって、矢印Ｙ１方向のトルクが錘部２０９に加わる。このトルクによって突起２３９ｂと突起１３の間の係合が解除されると、図３９（ｂ）に示すように回転フック２０３が回転して、タッセルコード３１０ｂがフック部２１３から外れる。なお、本実施形態では、底壁１７には突起１３の両側にスリット１５を設け、これによって突起１３の下方向移動に必要な力を低減し、回転フック２０３の回転開始に必要な荷重の閾値を下げている。この閾値は、底壁１７の肉厚を変えたり、突起１３，２３９ｂの形状を変えたりすることによっても適宜設定することができ、スリット１５は必ずしも必要ではない。
【０１４６】
図３９（ｂ）の状態からタッセルコード３１０ｂが外れるとフック部２１３に加わっていた荷重がなくなり、錘部２０９の自重によって回転フック２０３は矢印Ｙ２方向に回転し、図３９（ｃ）に示すように突起２３９ｂが突起１３に当接した状態で回転が止まる。この状態から、指などで図３９（ｃ）の矢印Ｚ方向にフック部２１３を押圧すると、突起２３９ｂが突起１３を乗り越えて、図３９（ａ）の状態に復帰する。
【０１４７】
このように、本実施形態では、連結機構は、突起２３９ｂと突起１３の間の係合（本願明細書においては、このような「係合」も「連結」の一形態である。）によって構成されており、タッセルに加わる荷重が所定の閾値を超えると突起２３９ｂと突起１３の間の係合が解除されることによってタッセルが脱落する。また、突起２３９ｂと突起１３の間の係合が解除された後、指などで図３９（ｃ）の矢印Ｚ方向にフック部２１３を押圧することによって突起２３９ｂと突起１３を再度係合させることができる。
【０１４８】
＜実施形態１２：分離型タッセル補助部品＞
実施形態１２では、図４３に示すように、タッセル補助部品１００は、房掛２００に取り付け可能な房掛取付部５１と、タッセルを保持可能なタッセル保持部５２とを備える。通常使用時には、図４３（ａ）に示すように、分離部１１４において房掛取付部５１とタッセル保持部５２が連結されることによって、タッセルコード３１０が房掛２００に保持され、一方、タッセルコード３１０に所定の閾値を超える荷重が加わると、図４３（ｂ）に示すように、分離部１１４においてタッセル保持部５２が房掛取付部５１から分離されることによってタッセルコード３１０が房掛２００から脱落する。その後、再度、タッセル保持部５２を房掛取付部５１に連結させることによって図４３（ａ）に示す状態に復帰させることができる。
【０１４９】
房掛取付部５１は、図４４に示すように、バンド部５１ａと、バンド締付固定部５１ｂと、房掛側連結部（スナップオス部）５１ｃとを備える。バンド部５１ａは、鋸歯５１ｄを有しており、バンド部５１ａを軸１４４に巻きつけた状態で、バンド部５１ａの先端５１ｇをバンド締付固定部５１ｂの一方の開口部５１ｅから挿入して他方の開口部５１ｈから引き出すことによって、バンド締付固定部５１ｂ内のスナップ部５１ｆに鋸歯５１ｄを係合させることにより、房掛取付部５１を軸１４４に取着させることができる。このようなバンド構造を有する房掛取付部５１を用いることによって軸１４４の断面形状や寸法に依存せずに房掛取付部５１を軸１４４に取着させることができる。なお、房掛取付部５１は、房掛２００の垂直軸に固定してもよい。
【０１５０】
タッセル保持部５２は、図４５に示すように、コード保持部５２ａとタッセル側連結部（スナップメス部）５２ｂを備える。タッセルコード３１０をコード保持部５２ａに保持させ、タッセル側連結部５２ｂと房掛側連結部５１ｃを係合させることによって、図４３（ａ）に示す状態にすることができる。
【０１５１】
分離部１１４の構成としては、実施形態１等において例示した種々の構成を採用することができ、房掛取付部５１とタッセル保持部５２は直接連結させてもよく、別の部材を介して連結させてもよい。また、房掛側連結部５１ｃとタッセル保持部５２ｂのオス・メスは反対にしてもよく、別の部材を介して連結させる場合には両方をオス又はメスにしてもよい。
【０１５２】
＜実施形態１２の変形例１：バンド構造＞
上記の実施形態１２では、タッセル保持部５２は、タッセルコード３１０をコード保持部５２ａに保持させていたが、本変形例では、図４６〜図４７に示すように、タッセル保持部５２は、バンド構造のコード保持部を有する。
【０１５３】
具体的には、タッセル保持部５２は、図４６に示すように、バンド部５２ｃと、バンド締付固定部５２ｆと、タッセル側連結部（スナップメス部）５２ｂと備える。バンド部５２ｃは、鋸歯５２ｄを有しており、バンド部５２ｃをタッセルコード３１０に巻きつけた状態で、バンド部５２ｃの先端５２ｅをバンド締付固定部５２ｆの一方の開口部５２ｇから挿入して他方の開口部５２ｈから引き出すことによって、バンド締付固定部５２ｆ内のスナップ部５２ｉに鋸歯５２ｄを係合させることにより、タッセル保持部５２をタッセルコード３１０に取着させることができる。このようなバンド構造を有するタッセル保持部５２を用いることによってタッセルコード３１０の断面形状や寸法に依存せずにタッセル保持部５２をタッセルコード３１０に取着させることができる。
【０１５４】
＜実施形態１２の変形例２：開閉リング＞
上記の実施形態１２では、房掛取付部５１は、バンド部５１ａとバンド締付固定部５１ｂからなるバンド構造を用いて軸１４４に取着させていたが、本変形例では、図４８に示すように、房掛取付部５１は、バンド構造の代わりに開閉リングを用いて、軸１４４に取着させる。
【０１５５】
具体的には、房掛取付部５１は、図４８に示すように、第１アーム５１ｉと第２アーム５１ｊを備える。第１アーム５１ｉと第２アーム５１ｊは、それぞれの一端側に設けられた回転軸５１ｋにおいて回転可能に連結されている。また、第１アーム５１ｉと第２アーム５１ｊは、それぞれの他端側に設けられた係合部５１ｌにおいて連結及び分離が可能になっている。
【０１５６】
房掛取付部５１を軸１４４に取着させる際には、係合部５１ｌでの連結を解除して第１アーム５１ｉと第２アーム５１ｊの間に隙間を設け、その隙間から軸１４４を第１アーム５１ｉと第２アーム５１ｊの間に導入した状態で、係合部５１ｌにおいて第１アーム５１ｉと第２アーム５１ｊを連結させて閉環構造にすることによって図４８に示す状態が得られる。
【０１５７】
＜実施形態１２の変形例３：大ループ構造＞
図４９〜図５１に示すように、本変形例では、房掛取付部５１は、ループ部５１ｍと、ループ固定部（カシメ）５１ｎと、房掛側連結部５１ｃと、連結部固定部（結び玉、カシメ、一体成形、アウトサート成形など）５１ｏとを備える。この房掛取付部５１は、図５０に示すように、房掛２００の引掛部２０６の上方から引掛部２０６をループ部５１ｍ内に挿入し、引掛部２０６と突出軸２０４の連結部においては図５０（ｂ）の回転軌跡Ｋで示すようにループ部５１ｍを旋回させることによって、図５１に示すように突出軸２０４に引っ掛ける。このような方法で房掛取付部５１を突出軸２０４に引っ掛けることを可能にするために、ループ部５１ｍのサイズは、引掛部２０６及び突出軸２０４の周面に沿ったループ内縁距離が確保されるように設定される。ループ部５１ｍのサイズは、ループ部５１ｍに引掛部２０６及び突出軸２０４を挿通して、ループ部５１ｍを引掛部２０６から突出軸２０４まで移動する際にループ部５１ｍが引掛部２０６及び突出軸２０４と干渉しないように設定される。
【０１５８】
＜実施形態１２の変形例４：小ループ構造＞
図５２（ａ）に示すように、本変形例では、房掛取付部５１は、ループ部５１ｑと、ループ固定部（カシメ）５１ｒと、房掛側連結部５１ｃと、コード部５１ｐとを備える。この房掛取付部５１は、図５２（ｂ）に示すように、コード部５１ｐを突出軸２０４に巻きつけた状態で、ループ部５１ｑに房掛側連結部５１ｃを挿通させることによって突出軸２０４に取着させることができる。
【０１５９】
＜実施形態１３：コード離脱型タッセル補助部品＞
実施形態１３では、図５３に示すように、タッセル補助部品１００は、房掛２００に取り付け可能な房掛取付部５３ａと、タッセルを保持可能なタッセル保持部５３ｂとを備える。タッセル保持部５３ｂは、タッセルに加わる荷重が所定の閾値を超えるとタッセルを脱落させるように構成される。
【０１６０】
本実施形態では、房掛取付部５３ａは、房掛２００の軸１４４に係合可能なフックであり、タッセル保持部５３ｂは、下側にタッセルコード３１０の直径よりわずかに狭い隙間を有する保持部である。タッセル保持部５３ｂにタッセルコード３１０に係合させ、房掛取付部５３ａを軸１４４に係合させることによって図５４（ａ）〜（ｂ）に示す状態となる。この状態から、タッセルコード３１０に閾値を超える荷重が加わると、タッセル保持部５３ｂの弾性変形又はタッセルコード３１０の圧縮変形によってタッセル保持部５３ｂとタッセルコード３１０の係合が解除されて、図５４（ｃ）に示すようにタッセルコード３１０が脱落する。
【０１６１】
タッセルコード３１０の種類に応じて、図５５（ａ）に示すコード径調整カラー５４を図５５（ｂ）に示すようにタッセルコード３１０に取り付けた状態でタッセルコード３１０をタッセル保持部５３ｂに係合させることによって、タッセルコード３１０の抜け落ち荷重を調整することができる。
【０１６２】
＜実施形態１３の変形例１：コード離脱型タッセル補助部品＞
実施形態１３の変形例１では、図５６に示すように、タッセル補助部品１００は、房掛２００に取り付け可能な房掛取付部５４ａと、タッセルを保持可能なタッセル保持部５４ｂとを備える。タッセル保持部５４ｂは、タッセルに加わる荷重が所定の閾値を超えるとタッセルを脱落させるように構成される。
【０１６３】
本変形例では、房掛取付部５４ａは、取付ビス７６２を挿通可能な挿通孔であり、タッセル保持部５４ｂは、下側にタッセルコード３１０の直径よりわずかに狭い隙間を有する保持部である。房掛取付部５４ａに取付ビス７６２を挿通させた状態で取付ビス７６２を固定立設面４００に固定することによってタッセル補助部品１００を房掛２００に固定し、タッセル保持部５４ｂにタッセルコード３１０に係合させることによって図５６（ｂ）に示す状態となる。この状態から、タッセルコード３１０に閾値を超える荷重が加わると、タッセル保持部５４ｂの弾性変形又はタッセルコード３１０の圧縮変形によってタッセル保持部５４ｂとタッセルコード３１０の係合が解除されて、タッセルコード３１０が脱落する。
【０１６４】
＜実施形態１３の変形例２:コード離脱型タッセル補助部品＞
実施形態１３の変形例２では、２つの連結手段がある補助部品においてどちらの連結手段もタッセル解除構造を備えることにより確実性を向上させる点に特徴がある。
図６０（ａ）に示すように、タッセル補助部品１００は、房掛２００に取り付け可能な房掛取付部５３ａと、タッセルを保持可能なタッセル保持部５３ｂ、５３ｃとを備える。タッセル保持部５３ｂ（第一の連結手段）は、タッセルコード３１０に加わる荷重が所定の閾値を超えるとタッセルを脱落させるように構成され、タッセル保持部５３ｃ（第二の連結手段）は、タッセルに加わる荷重が所定の閾値を超えると房掛取付部５３ａが軸１４４に対して相対回転し、タッセルコード３１０を脱落させるように構成されている。
【０１６５】
本実施形態では、房掛取付部５３ａは、房掛２００の軸１４４に係合可能なフックであり、タッセル保持部５３ｂは、下側にタッセルコード３１０の直径よりわずかに狭い隙間を有する保持部である。タッセル保持部５３ｂにタッセルコード３１０を係合させ、房掛取付部５３ａを軸１４４に係合させることによって図６０（ａ）〜（ｂ）に示す状態となる。この状態から、タッセルコード３１０に閾値を超える荷重が加わると、タッセル保持部５３ｂの弾性変形又はタッセルコード３１０の圧縮変形によってタッセル保持部５３ｂとタッセルコード３１０の係合が解除されて、図６０（ｃ）に示すようにタッセルコード３１０が脱落する。
【０１６６】
ここで、タッセル保持部５３ｃの構成について説明する。図６０（ａ）に示すように、タッセル保持部５３ｃはタッセル保持部５３ｂよりも上方に位置し、タッセルコード３１０を引掛可能な形状となっている。また、房掛取付部５３ａは軸１４４に対して相対回転となっている。そして、タッセル保持部５３ｃにタッセルコード３１０を引掛けた状態で、タッセルコード３１０に加わる荷重が所定の閾値を超えると、図６１に示すように房掛取付部５３ａが軸１４４に対して相対回転し、タッセル保持部５３ｃからタッセルコード３１０が脱落してタッセル３００とタッセル補助部品１００との連結が解除される。タッセル保持部５３ｂ、５３ｃの２箇所の連結手段ともタッセルコード３１０が脱落する構成となるため、タッセル補助部品１００とタッセルコード３１０の係合解除がより確実になる。
なお、房掛取付部５３ａに設けたタッセル保持部５３ｂとタッセルコード３１０との係合方法は、図６０（ａ）に示した方法以外で実施してもよい。例えば、実施形態１２で詳述したようにタッセル保持部５３ｂに替わり房掛側連結部（スナップオス）と、タッセルコード３１０側にタッセル保持部を設け、タッセル保持部に房掛側連結部（スナップオス）に対応するタッセル側連結部（スナップメス部）を設け、それぞれを連結する方法などである。
【０１６７】
＜実施形態１３の変形例３:コード離脱型タッセル補助部品＞
実施形態１３の変形例３では、図６２（ｃ）〜（ｄ）に示すように、台座２０２と引掛部２０６の間の隙間を塞ぐ第二突出軸８０３（引っ掛け禁止部材）を備えている。第二突出軸８０３（引っ掛け禁止部材）は、図６２（ａ）〜（ｂ）に示すように一端に引掛部２０６と略同じ形状の係合凹部８０３ａが形成され、引掛部２０６にはめ込み可能である。
このような引っ掛け禁止部材を合わせて使用することにより、フェールセーフ機能の無い引掛部２０６を誤って用いることがなくなり、（上述のタッセル保持部５３ｂ、５３ｃのみを使用することになり）フェールセーフ機能のある補助部品を使用する場合に確実に安全性が保たれる。
【０１６８】
＜実施形態１４：タッセル脱落型房掛＞
実施形態１４では、図５７に示すように、房掛２００は、タッセルを保持可能なタッセル保持部５５とを備える。タッセル保持部５５は、タッセルに加わる荷重が所定の閾値を超えるとタッセルを脱落させるように構成される。
【０１６９】
本実施形態では、タッセル保持部５５は、下側にタッセルコード３１０の直径よりわずかに狭い隙間を有する保持部であり、房掛２００の軸１４４に設けられている。タッセル保持部５５を設ける位置は限定されず、台座２０２や、垂直軸に設けてもよい。
【０１７０】
タッセル保持部５５にタッセルコード３１０に係合させることによって図５７（ｂ）に示す状態となる。この状態から、タッセルコード３１０に閾値を超える荷重が加わると、タッセル保持部５５の弾性変形又はタッセルコード３１０の圧縮変形によってタッセル保持部５５とタッセルコード３１０の係合が解除されて、図５７（ｃ）に示すようにタッセルコード３１０が脱落する。
【０１７１】
＜実施形態１５：既設の窓にタッセル解除構造を備えた房掛を設置する方法＞
本発明に例示した房掛を利用した房掛の安全システムに関する実施形態である。具体的には、図６６（ａ）に示すような既設の房掛２００ａの設置場所において、既設の房掛２００ａの近傍に、本発明で例示したタッセル解除構造を備えた房掛２００ｂを図６６（ｂ）に示すように固定面に対し房掛２００ａを取り外すことなく追加で新規に取り付ける。タッセル３００の一方の端部を既設の房掛２００ａに、他方の端部を新設の房掛２００ｂに引っ掛けて使用できるようにする。既設の房掛２００ｂに引っ掛けられたタッセル３００の端部を引っ掛け或は取り外しを行って使用することができる。
従って、取り外された状態ではタッセル３００の他端が解除構造を備えた房掛２００ｂに吊り下げられた状態である為、所定以上の荷重がタッセルに作用すると解除機能が作動しタッセル３００が分離し安全性が保たれる。（既設の房掛２００ａと新規の房掛２００ｂの両方に掛けられている状態でも同様に安全機能が作動する）既に固定的な房掛２００ａが取り付けられた窓において容易に安全性を確保することができる。
【０１７２】
＜実施形態１６：上昇位置で保持可能とする房掛＞
本実施形態は、カーテン１１００を束ねないとき上方に案内する手段を持ち、上昇位置で保持可能とする房掛である。図６８に示すように、ガイドワイヤ８３０（案内手段）を固定立設面４００に沿って一対の取付台２３０ａ、２３０ｂを介して固定している。 ガイドワイヤ８３０は台座２０２に設けられたガイド孔８３１ａ、８３１ｂに挿通されるとともに、押圧部材６１に設けられたロック孔６２ａ，６２ｂにも挿通されている。押圧部材６１は筒状であり、図６８（ａ）に示すように引掛部２０６から台座２０２にまで挿入されており、先端側は引掛部２０６から一部突出している。押圧部材６１の基端側には弾性押圧部６３ａ，６３ｂが一体に設けられ、台座２０２の内部の被圧部６４を押圧するように設けられている。
【０１７３】
従って、図６８（ａ）に示すように外部から押圧部材６１を押しこまない状態では、弾性押圧部６３ａ，６３ｂの反発力により押圧部材６１が台座２０２に対し相対移動しようとして、ロック孔６２ａ，６２ｂとガイド孔８３１ａ、８３１ｂとの間でガイドワイヤ８３０に対する摩擦力を増大させる。従って、ガイドワイヤ８３０に対する房掛２００の高さが維持される。尚、台座２０２の上下には図６７（ｃ）に示すように係合凹部８３２ａ，８３２ｂが設けられている。係合凹部８３２ａ，８３２ｂは取付台２３０ａ、２３０ｂの形状に対応する曲面が形成され、取付台２３０ａ、２３０ｂに台座２０２が当接した状態でぐらつきを抑えるようになっている。
【０１７４】
また、図６８（ｂ）に示すように、外部から押圧部材６１を押し込むと、押圧部材６１からガイドワイヤ８３０に加わる荷重が低減され、その結果、ロック孔６２ａ，６２ｂ及びガイド孔８３１ａ、８３１ｂと、ガイドワイヤ８３０の間の摩擦力が低減されて、房掛２００がガイドワイヤ８３０に沿って移動可能になる。房掛２００を所望の高さに移動させた後は、押圧部材６１の押し込みを解除することによって、房掛２００を所望の高さに維持可能である。
【０１７５】
このような房掛２００は、カーテン１１００を束ねる際に図６９（ａ）に示す位置に保持させることが可能である。束ねない状態（タッセル３００が垂れ下がった状態）で、危険領域（Ｅ）にタッセル３００のループ部分が位置しているが、カーテン１１００を閉鎖させた場合など、房掛２００を使用しないときには図６９（ｂ）に示すような危険領域（Ｅ）にタッセル３００のループ部分が位置しない高さにまで移動させることが可能である。
【０１７６】
＜実施形態１７：上方に位置する房掛＞
本実施形態では、第２の引掛部を既設の房掛の上方に設け、束ねないとき上方のフックに引っ掛け可能とし安全領域に位置させる構成を提供する。
図７０に示す通り、房掛２００はカーテンレール１１１０から吊り下げた透明のガイドワイヤ８３０に保持されている。保持機構は実施形態１７と同様に、弾性押圧部６３ａ，６３ｂを備えた構成である。従って、押圧部材６１を指で押すことによりガイドワイヤ８３０との係合を解除して、房掛２００を任意の高さ位置に調節が可能である。カーテンレール１１１０に対してランナー走行溝から図７０（ａ）矢印Ｆのように支持部材１１１３を回転させることにより挿入して取り付けが可能である。
【０１７７】
このような房掛２００は、既設の房掛２００ｂで支持する際には、図７１（ａ）に示すように、束ねない状態（タッセル３００が垂れ下がった状態）で、危険領域（Ｅ）にタッセル３００のループ部分が位置しているが、カーテン１１００を閉鎖させた場合など、房掛２００を使用しないときには図７１（ｂ）に示すような危険領域（Ｅ）にタッセル３００のループ部分が位置しない高さにまで保持させることが可能である。
【０１７８】
＜実施形態１８：上方に移動する房掛＞
本実施形態は、タッセルを誘導コードに接続し、先頭ランナーと共に誘導コードを介して引っ張り上げることによりカーテンを閉じると同時にタッセルを安全領域に退避させることを特徴とする。
【０１７９】
図７２に示す通り、カーテンレール１１１０にランナー１１１１、先頭ランナー１１１２が長手方向に移動可能に支持され、カーテンフックを介してカーテン１１００を垂下している。中央部の先頭ランナーには磁性体が設けられ、一対の先頭ランナー１１１２を吸着してカーテン１１００の閉鎖状態を維持可能となっている。カーテンレール１１１０の端部にはキャップ１１１４が設けられ、キャップ１１１４には誘導コード８３０をハンガーレールに沿う状態から垂下する状態へ転向する転向部１１１６が設けられている。垂下された誘導コード８３０は房掛２００を介してタッセル３００を支持している。尚、誘導コード８３０はカーテンレール内に設けた溝（不図示）に沿うようカーテンレール内を案内してもよく、カーテンレール外のランナーフック等に一部挿通させ案内しても良い。
【０１８０】
従って、図７２に示す閉鎖状態と、図７３に示す開状態とにカーテン１１００を開閉可能であり、同時に房掛２００が昇降するようになっている。
【０１８１】
房掛２００は図７４に示すように略リング状であり、開閉回転軸８４２を中心に矢印Ｈ方向に回転することにより、常には閉鎖方向（Ｈとは逆方向）に付勢されている開閉部８４３を開くことにより第１係止部８４０にタッセル３００の一端のタッセルコード３１０ａを挿入可能となっている。また、図７４（ｃ）に示すように第２係止部８４１が形成され、Ｉの方向に他端のタッセルコード３１０ｂを挿入可能となっている。カーテンを日常束ねる為にタッセルを使用する際には、第２係止部の掛け外しにより行い、両端を掛けた状態では図７５のようになる。
【０１８２】
カーテン１１００を美しく束ねる為、タッセル３００の吊り下げ位置を図７３に示すような、タッセル３００のループ部が危険境界ラインＬより下に位置するように設置しても、カーテン１１００を閉じると自動的に上昇し、図７２に示すようなラインＬより上に位置するように支持できるため安全性が確保される。また、カーテンを開くと、自動的に図７３に示すようにカーテンを束ねる高さに移動する為利便性が向上する。
【０１８３】
タッセル３００の吊り上げ状態（カーテン３００の閉鎖状態）での保持を、先頭ランナー１１１２の磁石による吸着で行ったが、別途カーテンレールに保持部材を設けて保持したり、誘導コードを別途設けるストッパにより停止或は解除して保持しても良い。
本実施例の構造を縦型ブラインドに使用しても良い。
【０１８４】
＜実施形態１６の変形例１：下降位置で保持可能とする房掛＞
実施形態１６では房掛を上方に移動可能としたが、図６９に示す危険領域Ｅのうち、床ＦＬに近い領域では、居住者等が引っ掛かったとしても宙には浮かないので、実際は、安全領域であると言える。このような安全領域の存在を考慮すると、図６９に示す危険領域Ｅは、図７８に示すように、危険領域Ｅ２と、その下方の安全領域Ｎに分けられる。そして、本変形実施形態は、カーテン１１００を束ねないときに、タッセルのループ部分を安全領域Ｎに案内することが可能な手段を持つ房掛である。
【０１８５】
図７６に示すように、ガイドワイヤ８３０（案内手段）を固定立設面４００に沿って一対の取付台２３０ａ、２３０ｂを介して固定している。図７７に示すように、ガイドワイヤ８３０は台座２０２に設けられたガイド孔８３１ａ、８３１ｂに挿通されるとともに、押圧部材６１に設けられたロック孔６２ａ，６２ｂにも挿通されている。押圧部材６１は筒状であり、引掛部２０６から台座２０２にまで挿入されており、先端側は引掛部２０６から一部突出している。押圧部材６１の基端側には弾性押圧部６３ａ，６３ｂが一体に設けられ、台座２０２の内部の被圧部６４を押圧するように設けられている。従って、図７７（ａ）に示すように外部から押圧部材６１を押しこまない状態では、弾性押圧部６３ａ，６３ｂの反発力により押圧部材６１が台座２０２に対し相対移動しようとして、ロック孔６２ａ，６２ｂとガイド孔８３１ａ、８３１ｂとの間でガイドワイヤ８３０に対する摩擦力を増大させる。従って、ガイドワイヤ８３０に対する房掛２００の高さが維持される。尚、台座２０２の上下には図７６（ｂ）に示すように係合凹部８３２ａ，８３２ｂが設けられている。係合凹部８３２ａ，８３２ｂは取付台２３０ａ、２３０ｂの形状に対応する曲面が形成され、取付台２３０ａ、２３０ｂに台座２０２が当接した状態でぐらつきを抑えるようになっている。
【０１８６】
このような房掛２００は、カーテン１１００を束ねる際に図７８（ａ）に示す位置に保持させることが可能である。束ねない状態（タッセル３００が垂れ下がった状態）で、危険領域（Ｅ２）にタッセル３００のループ部分が位置しているが、カーテン１１００を閉鎖させた場合など、房掛２００を使用しないときには図７８（ｂ）に示すような危険領域Ｅ２から安全領域Ｎに移動するようにタッセル３００のループ部分が位置する高さにまで移動させることが可能である。この例では、下方のタッセルループが危険領域Ｅ２から安全領域Ｎに移動するように設置した例であるが、上方のループ部も危険領域Ｅ２から安全領域Ｎに移動するように設置してもよい。
尚、図７９に示すように、ガイドワイヤ８３０の下端部は、取付台２３０ｂではなく固定立設面４００には固定しない端止具８４５に置き換えても良い。
【０１８７】
＜実施形態１６の変形例２：下降位置で保持可能とする房掛＞
実施形態１６では房掛を手動で下方へ移動可能としたが、所定の引張力により下方へ移動可能としてもよい。本変形実施形態は、所定の引張力により図８２の危険領域Ｅ２より下方の安全領域Ｎに案内することが可能な手段を持つ房掛である。
図８０に示すように、ガイドワイヤ８３０（案内手段）を固定立設面４００に沿って一対の取付台２３０ａ、２３０ｂを介して固定している。図８１に示すように、ガイドワイヤ８３０は台座２０２に設けられたガイド孔８３１ａ、８３１ｂに挿通される。台座２０２には図８０に示すように分離部１１４が上方に向かうように設けられ、弾性的に取付台２３０ａを保持している。図８１（ｂ）に示すように、タッセル３００に所定の荷重５００が掛かると、分離部１１４が弾性変形し取付台２３０ａから分離し、房掛２００はガイドワイヤ８３０に案内され下方の取付台２３０ｂまで到達するようになっている。
【０１８８】
このような房掛２００は、図８２（ａ）に示す位置に保持させた状態でカーテンを束ねることが可能である。束ねない状態（タッセル３００が垂れ下がった状態）で、危険領域（Ｅ２）にタッセル３００のループ部分が位置している状態で、異物がタッセル３００のループ部に引っ掛かった場合に、図８２（ｂ）に示すように、タッセル３００のループ部分を危険領域Ｅ２から安全領域Ｎに移動させることが可能である。
【０１８９】
＜実施形態１９：下方に伸びるタッセル＞
本実施形態は、タッセル３００を伸縮可能とし、タッセル３００に荷重が掛かったときループ部が下方に移動し安全性を保つことを特徴とする。タッセルループ３１０を伸縮材で構成したことにより、図８３（ｄ）に示すように、矢印Ｍ方向に伸び、ループ部を安全領域Ｎ（危険領域（Ｅ２）より下方の領域）にまで降下可能となっている。
図８３（ａ）に示すように、タッセル３００は紐状部及び装飾部から構成されている。図８３（ｂ）に示すように、タッセルループ３１０は、複層構造とした。
タッセルループ３１０をゴム紐で構成した。１本又は多数本で構成される断面が円状又は角形のゴムを弾性芯部８５０とし、芯部８５０を覆うように皮糸を編んだ外皮８５１で覆ったゴムロープである。皮糸を多色の糸で構成し柄を出すことによりタッセルループ３１０の意匠性を高めることができる。
本実施形態は、以下のように置き換えることができる。
【０１９０】
（実施形態１９の変形例１）
図８４に示すように、タッセルループ３１０の両端部における外皮８５１には分離箇所８５２を設けた。外皮８５１は耐久性のある伸縮性の無い材料で構成することができ、荷重が掛からないときは略弾性芯部８５０を覆い意匠性に優れる。
【０１９１】
（実施形態１９の変形例２）
タッセルループ３１０をポリウレタンで構成された透明ゴムコードで構成すること。図８５に示すように、透明部材を含む装飾部材３０６を数珠繋ぎとしたワイヤータッセル３００の接続コードとして使用することができる。タッセルループ３１０を複層とすることなく美観の優れたワイヤータッセル３００を形成することができる。
【０１９２】
（実施形態１９の変形例３）
図８６に示すように、タッセル３００のタッセルループ３１０の中央部に装飾部材３０６を挿通し、その内部に分離箇所８５２を設けた構成である。装飾部材３０６のタッセル３００に沿う方向には、図８６（ａ）に示すように、挿通筒部８５５が設けられ、両端部にはテーパ部８５６が設けられている。タッセルでカーテンを束ねる際には、図８６（ｃ）に示すように、挿通筒部８５５に納まる範囲で伸縮するような弾性芯部８５０が構成されている。従って、通常使用時においては分離箇所８５２が露出しない為意匠性を損なうことが無い。
【０１９３】
（実施形態１９の変形例４）
タッセルループ３１０は、ポリウレタン弾性繊維を絡めた編みゴムで構成してもよい。
【０１９４】
（実施形態１９の変形例５）
タッセルループ３１０は、芯ゴム８５０を中心に、側糸を絡ませた細幅の組ゴムとしてもよい。本変形例は、リボン状のタッセルに適用することができる。
【０１９５】
（実施形態１９の変形例６）
タッセルループ３１０は、経糸にゴム糸を織込んだ織りゴムで構成してもよい。
【０１９６】
＜実施形態１９の変形例７＞
本変形例では、伸縮性のあるタッセルループ３１０を用いず、伸縮性の無い部材からなる糸によりタッセル３００が伸びるように構成している。
図８７に示すように、タッセル３００の中央部には装飾部材３０６が設けられている。装飾部材３０６は図８７（ｂ）の断面図に示すように、両端部に係止部３７が設けられ、タッセルコード３１０端部に設けられた突条１２０に係合している。タッセルコード３１０端部は糸８６０で連結されている。具体的には、図８７（ｃ）に示すように抜止め８６２がタッセルコード３１０端部に貫通することにより係止され、図８７（ｂ）に示すようにボビン８６１に巻き付けられた状態で挿通筒部８５５内に収容されている。ボビン８６１の糸８６０を巻きつけた状態の直径は挿通筒孔８５７の直径よりも小さく、挿通筒孔８５７からボビン８６１は離脱可能となっている。また、係止部３７と突条１２０とは所定荷重で連結が解除される強度で係合している。
このようなタッセル３００に所定の荷重が作用すると、図８７（ｆ）に示すようにタッセルコード３１０の両端の係合が解除されるか、又は片側の係合が解除され、同時にボビン８６１に巻き付けられた糸が解かれながら伸びる。そして、図８３の領域Ｎに達するまでタッセルループ３１０の下端部が伸びることにより安全性が保たれる。また、解除されたタッセルコード３１０の両端を再度係合させるには、糸８６１をボビン８６１に巻き付けながら装飾部材３０６に挿入し、タッセルコード３１０の端部を挿通筒孔８５７に押し込んで突条１２０を係止部３７へ係合させることにより復帰させることができる。
【０１９７】
＜実施形態２０＞
本実施形態では、房掛２００において上部に固定立設面４００に固定する固定部を持ち、固定立設面４００から離間した位置で支持され固定立設面４００へ向かうフック部を備え、フック部が下方に変位する変位構造を備え、変位構造は所定荷重によりタッセル３００との係合を解除することを特徴としている。
図８８（ａ）に示す通り、房掛２００は固定立設面４００に固定するための固い取付台２３０を備え、台座２０２と固着されている。台座２０２には取付孔４０１が形成され取付台２３０を介して取付ビス７６２により固定立設面４００へ固定可能となっている。台座２０２は太く、固定立設面４００から離間して伸びるよう形成される突出軸２０４により細い回転フック２０３が一体にエラストマーなどの弾性変形する材料により形成されている。回転フック２０３は突出軸２０４から固定立設面４００へ向かいやや上方に傾斜するように設けられ、タッセルループ３１０ａを掛けた状態でやや前後方向部屋内寄りの位置で支持されるようになっている。尚、固定立設面４００と回転フック２０３先端の間は隙間があるが設けなくてもよい。台座２０２を下方に長く形成して回転フック２０３の先端と接するようにしてもよい。また、同図に示すようにタッセルループ３１０ｂのような角度でタッセル３００が引かれても外れることはない。回転フック２０３上部には一対のタッセルループ３１０ａ、３１０ｂを掛けるだけの十分な空間がある。
このような房掛２００にタッセルコード３１０を介して所定以上の荷重５００が作用すると、図８８（ｃ）に示すように回転フック２０３が回動するよう変位してタッセルループ３１０との連結が解除される。また、図８８（ｄ）に示すように下方からタッセルコード３１０を回転フック２０３に当てがいながら引上げると図８８（ｅ）に示すように回転フック２０３が上方に回動するよう変位してタッセルコード３１０を回転フック２０３上面に係止することができる。
尚、回転フックは実施形態９や１１に示すような機械的ヒンジに置き換えても良い。そのような構成とする場合には、機械的ヒンジをバネ等で原位置を維持するようにすればよい。所定以上の荷重５００が作用すると、バネ等で付勢された機械的ヒンジを突出軸２０４から下方に傾斜するように回動させてタッセルコード３１０との係合を解除させることができる。
また、回転フックは実施形態５、７、８、１０に例示されるような分離構造に備え、所定以上の荷重５００が作用すると回転フック２０３が突出軸２０４から下方に傾斜するように回動して分離するようにしてもよい。
【０１９８】
＜実施形態２１＞
図８９〜図９０を用いて、実施形態２１のカーテンアクセサリーについて説明する。
本実施形態では、固定立設面４００に房掛２００が固定されており、この房掛にタッセル３００が掛けられている。
【０１９９】
房掛２００は、台座２０２と、台座２０２に支持される引掛け部２０６とを備える。タッセル３００は、引掛け部２０６に引っ掛けられ、タッセル３００を介して所定の閾値（房掛２００の解除力）を超える荷重が引掛け部２０６に加わると、図９０（ｂ）に示すように、引掛け部２０６が変形してタッセル３００が引掛け部２０６から脱落するようになっている。房掛２００を変形させるための機構としては、例えば、前述の実施形態の構造を採用することができる。
【０２００】
タッセル３００は、タッセルコード３１０と、その両端に設けられた分離部１１４を備える。分離部１１４は、第１及び第２連結部１１４ａ，１１４ｂを備える。第１及び第２連結部１１４ａ，１１４ｂは、磁力によって互いに連結可能になっており、第１及び第２連結部１１４ａ，１１４ｂが連結された状態では、タッセルコード３１０と、第１及び第２連結部１１４ａ，１１４ｂによって環状構造Ｒが形成される。第１及び第２連結部１１４ａ，１１４ｂの間の連結の解除に必要な力（分離部１１４の解除力）は、房掛２００の解除力より小さくなっている。
【０２０１】
図８９（ａ）は、環状構造Ｒ内にカーテン１１００が保持されている状態を示す。この状態、又はカーテン無しで環状構造Ｒが形成されている状態から、環状構造Ｒ内に異物Ｘが挟まり、重力によって異物Ｘに対して矢印Ｘ１方向に荷重が加わり、この荷重が所定の閾値を超えると、図８９（ｂ）の矢印Ｙ方向に第１及び第２連結部１１４ａ，１１４ｂが互いに分離されて、環状構造Ｒが解除されて非環状構造となって異物Ｘが脱落して安全が確保される。なお、分離部１１４の解除力が房掛２００の解除力よりも小さいので、房掛２００が解除に至るまで変形する前にタッセル３００が非環状構造となる。このため、図８９（ｂ）に示すように、異物Ｘが脱落した後には、タッセルコード３１０が房掛２００に引っ掛かったままの状態になり、図８９（ａ）の状態に復帰させることが容易である。
【０２０２】
また、図９０（ａ）に示すように、タッセルコード３１０とカラー部材３１１によって環状構造Ｒ１が形成されていて、環状構造Ｒ１内に異物Ｘが引っかかった場合には、異物Ｘに対して矢印Ｘ１方向の荷重が加わってもタッセル３００の環状構造が非環状構造になることがない。このような場合、異物Ｘに加わる荷重が房掛２００の解除力を超えると、図９０（ｂ）に示すように房掛２００が変形して、タッセル３００を脱落させ、安全が確保されるようになっている。
【０２０３】
このように、本実施形態によれば、タッセル３００の、分離可能な環状構造Ｒに荷重が加わった場合には、環状構造Ｒが分離されることによってタッセル３００を房掛２００から脱落させることなく、安全が確保され、一方、タッセル３００の、分離不能な環状構造Ｒ１に荷重が加わった場合には、房掛２００が変形してタッセル３００を脱落させることによって安全が確保される。従って、本実施形態によれば、利便性と安全性を両立させることができる。
【０２０４】
ところで、分離部１１４の第１及び第２連結部１１４ａ，１１４ｂは、図９１（ａ）に示すように、磁性体３１４ａ，３１４ｂの間の引力によって連結されている。図９１（ａ）に示すように、分離部１１４上に異物Ｘの荷重が直接加わった場合、第１及び第２連結部１１４ａ，１１４ｂに対して矢印Ｙ１方向の回転トルクが加わることによって、磁性体３１４ａ，３１４ｂが離間させられて、第１及び第２連結部１１４ａ，１１４ｂが分離される。一方、図９１（ｂ）に示すように、分離部１１４以外の部分に異物Ｘの荷重が加わった場合、タッセルコード３１０を介して張力Ｔ１が第１及び第２連結部１１４ａ，１１４ｂを引き離す方向に加わり、その結果、第１及び第２連結部１１４ａ，１１４ｂが分離される。通常、図９１（ａ）の状態でタッセル３００に荷重が加わった場合の方が、図９１（ｂ）の状態でタッセル３００に荷重が加わった場合よりも分離部１１４が容易に分離される。このため、本実施形態では、分離部１１４の解除力は、図９１（ｂ）の状態でタッセル３００に荷重が加わることを想定して設定される。このように設定すれば、例えば分離部１１４の解除力を２ｋｇｆにした場合、２ｋｇｆを超える荷重が図９１（ａ）と図９１（ｂ）のどちらの状態でタッセル３００に加わったとしても、分離部１１４が確実に分離されて、安全が確保される。なお、分離部１１４の構造は、ここで示したものに限定されず、実施形態１又はその変形例などで示した構造であってもよい。
【０２０５】
なお、本実施形態では、房掛２００とタッセル３００の間の連結機構が第１連結機構であり、タッセル３００の分離部１１４が第２連結機構である。第２連結機構の解除力は、第１連結機構の解除力よりも小さくなるように設定されることが好ましいが、第２連結機構の解除力を第１連結機構の解除力と実質的同一にするか、第１連結機構よりも大きくしてもよい。
【０２０６】
＜実施形態２１の変形例１＞
図９２を用いて、実施形態２１の変形例１について説明する。実施形態２１では、図８９（ａ）に示すように、タッセル３００は、１つの環状構造Ｒを有していて、環状構造Ｒに設けられた分離部１１４が分離されることによって安全が確保されていた。本変形例では、タッセル３００は、複数の環状構造Ｒ１〜Ｒ３を備えており、タッセル３００に荷重が加わったときに、これらの環状構造Ｒ１〜Ｒ３のうちの少なくとも１つが開環されることによって安全が確保される。具体的な構成は、以下の通りである。
【０２０７】
タッセル３００は、タッセルコード３１０ａ，３１０ｂを備える。タッセルコード３１０ａは、一端に第１連結部１１４ａを備え、他端に環状構造Ｒ２を備え、タッセルコード３１０ｂは、一端に第２連結部１１４ｂを備え、他端に環状構造Ｒ３を備える。環状構造Ｒ２，Ｒ３は、それぞれ、房掛２００に引っ掛けられる。第１及び第２連結部１１４ａ，１１４ｂは、実施形態２１と同様に、連結可能であり、かつ所定の解除力で分離可能な分離部１１４を構成している。そして、環状構造Ｒ２，Ｒ３を房掛２００に引っ掛け、且つ第１及び第２連結部１１４ａ，１１４ｂを連結することによって、環状構造Ｒ１が形成される。そして、環状構造Ｒ１に異物Ｘが引っ掛かると、分離部１１４が分離されて安全が確保される。分離部１１４は、環状構造Ｒ１〜Ｒ３のうちの少なくとも１箇所に設けることができる。例えば、環状構造Ｒ２に分離部１１４が設けられ、環状構造Ｒ１に異物Ｘが引っかかった場合、環状構造Ｒ２の分離部１１４が分離されることによって環状構造Ｒ２が開環されると共に、環状構造Ｒ１が開環されて安全が確保される。分離部１１４が環状構造Ｒ１〜Ｒ３の何れに設けられる場合でも、分離部１１４の解除力は、房掛２００の解除力よりも小さくなるように設定される。これによって、房掛２００を変形させることなく、安全が確保される。
【０２０８】
なお、本変形例では、房掛２００とタッセル３００の間の連結機構が第１連結機構であり、タッセル３００の分離部１１４が第２連結機構である。第２連結機構の解除力は、第１連結機構の解除力よりも小さくなるように設定されることが好ましいが、第２連結機構の解除力を第１連結機構の解除力と実質的同一にするか、第１連結機構よりも大きくしてもよい。
【０２０９】
＜実施形態２１の変形例２＞
図９３を用いて、実施形態２１の変形例２について説明する。本変形例では、図９３（ａ）に示すように、タッセル３００は、２つのタッセルコード３１０ａ，３１０ｂが分離部１１４で連結されて構成される。タッセルコード３１０ａは、環状構造Ｒａと、磁性体３１４ａを有する第１連結部１１４ａを備え、タッセルコード３１０ｂは、環状構造Ｒｂと、磁性体３１４ｂを有する第２連結部１１４ｂを備える。分離部１１４は、第１連結部１１４ａと、第２連結部１１４ｂとで構成され、所定の解除力で分離可能に構成されている。なお、分離部１１４の構造は、これに限定されず、実施形態１又はその変形例などで示した構造であってもよい。
【０２１０】
図９３（ｂ）に示すように、タッセルコード３１０ｂが房掛２００に掛けられ、タッセルコード３１０ａが房掛２００に掛けられていない状態で、環状構造Ｒａに異物Ｘが挟まって、タッセルコード３１ａに対して下向きに閾値を超える荷重が加わると、図９３（ｃ）に示すように、第１連結部１１４ａと第２連結部１１４ｂが分離されて、タッセルコード３１０ａが落下することによって安全が確保される。従って、分離部１１４よりも下方の部分が、安全領域となる。なお、タッセルコード３１０ａのみが房掛２００に掛けられている場合にも、同様に、安全が確保される。
【０２１１】
また、図９３（ｂ）に示す状態で、タッセルコード３１０ｂの環状構造Ｒｂに異物Ｘが挟まった場合は、タッセルコード３１０ｂを通じて異物Ｘからの荷重が房掛２００に伝わり、この荷重が房掛２００の解除力の閾値を超えると、房掛２００が変形してタッセルコード３１０ｂが脱落して安全が確保される。
【０２１２】
このように、本変形例によれば、環状構造Ｒａ，Ｒｂのどちらに異物Ｘが挟まった場合でも安全が確保される。
【０２１３】
なお、本実施形態では、房掛２００とタッセル３００の間の連結機構が第１連結機構であり、タッセル３００の分離部１１４が第２連結機構である。第２連結機構の解除力は、第１連結機構の解除力よりも小さくなるように設定されることが好ましいが、第２連結機構の解除力を第１連結機構の解除力と実質的同一にするか、第１連結機構よりも大きくしてもよい。
【０２１４】
＜実施形態２１の変形例３＞
図９４〜図９６を用いて、実施形態２１の変形例３について説明する。本変形例では、房掛２００は、固定立設面４００に取り付けられる台座２０２と、コード保持部２２２とを備える。タッセル３００は、タッセルコード３１０の一端に第１連結部１１４ａを有し、タッセルコード３１０の他端に環状構造Ｒ２を有する。
【０２１５】
図９５（ａ）に示すように、第１連結部１１４ａ及び台座２０２には、それぞれ、磁性体３１４ａ，３１４ｂが設けられていて、磁性体３１４ａ，３１４ｂの引力によって、第１連結部１１４ａと台座２０２が連結可能になっている。この連結機構を第２連結機構と称する。第２連結機構の解除力は、後述する第１連結機構の解除力よりも小さくなるように設定される。
【０２１６】
また、図９５（ａ）〜（ｃ）に示すように、コード保持部２２２は、支軸２２２ａと、支軸２２２ａに回転可能に支持されたアーム２２２ｂとを備える。アーム２２２ｂは、略水平方向に向けられるようにバネなどで付勢されている。図９５（ａ）に示すように、環状構造Ｒ２をアーム２２２ｂの直下に配置し、図９５（ｂ）に示すように、アーム２２２ｂを押し上げながら環状構造Ｒ２をアーム２２２ｂに引っ掛けることによって、図９５（ｃ）に示すように、環状構造Ｒ２がコード保持部２２２に保持された構成が得られる。環状構造Ｒ２とコード保持部２２２の間の連結機構を第１連結機構と称する。
【０２１７】
図９４（ａ）に示すように、第１及び第２連結機構でタッセル３００と房掛２００が連結された状態では、タッセルコード３１０に環状構造Ｒ１が形成される。
【０２１８】
環状構造Ｒ１に異物が挟まり、タッセルコード３１０に対して下向きの荷重が加わると、第１及び第２連結機構のどちらかでタッセル３００と房掛２００が分離されることによって環状構造Ｒ１が開環されて、安全が確保される。第２連結機構の解除力が第１連結機構の解除力よりも小さいので、通常は、図９６（ａ）に示すように、第２連結機構が分離される。一方、何らかの事情で第２連結機構が分離されない場合には、図９６（ｂ）に示すように、環状構造Ｒ２からの荷重がアーム２２２ｂに加わって、支軸２２２ａを中心にアーム２２２ｂを下向きに回転させて環状構造Ｒ２をコード保持部２２２から脱落させることによって第１連結機構を分離させて安全が確保される。
【０２１９】
なお、第２連結機構の解除力を第１連結機構の解除力と実質的同一にするか、第１連結機構よりも大きくしてもよい。
【０２２０】
以上、図面を参照して本発明の実施形態について述べたが、これらは本発明の例示であり、上記以外の様々な構成を採用することもできる。
【０２２１】
例えば、上記実施の形態では連結機構に用いる分離部１１４の嵌合構造として幾つかの代表的な例をあげたが、特に限定する趣旨ではなく、公知の各種の嵌合構造を用いることができる。例えば、ＷＯ２０１１／１３６２３５に記載されている各種の嵌合構造を好適に用いることができる。このようにしても、上記の実施形態と同様にカーテンアクセサリーの安全性を高めることができる。
【０２２２】
また、上記実施の形態では房掛２００を引張力によって複数の部分に分離する例をあげたが、特に限定する趣旨ではなく、タッセル補助部品１００またはタッセル３００自体を複数の部分に分離する構成としてもよい。例えば、図１（ａ）に示すタッセル補助部品１００のループ状のコード１１１を、真ん中付近では一本になり両端にループ状の構造を有するような形にした上で、その真中分離部１１４を設けて、引張力によって複数の部分に分離する構成としてもよい。また、図１３（ｂ）に示す装飾部材３０６を有する紐状のタッセル３００のタッセルコード３１０を、装飾部材３０６の貫通孔内で一本になるようにして、その貫通孔内に分離部１１４を設けて、引張力によって複数の部分に分離する構成としてもよい。
【０２２３】
また、上記実施の形態では、床に落下しないように保持する保持コード２１８を台座２０２及び突出軸２０４の間に設けることによって、台座２０２に対し突出軸２０４が落下しない構成について説明したが、特に限定する趣旨ではない。たとえば、床に落下しないように保持する保持コード２１８を取付台２３０及び台座２０２の間に設けることによって、取付台２３０に対し台座２０２が落下しない構成としてもよい。または、床に落下しないように保持する保持コード２１８を突出軸２０４及び引掛軸２０６の間に設けることによって、突出軸２０４に対し引掛軸２０６が落下しない構成としてもよい。
【０２２４】
また、上記実施の形態では、連結機構は、タッセル３００に加わる荷重が所定値である２ｋｇｆを超えると連結が解除される構成としたが、特に限定する趣旨ではない。たとえば、タッセル３００に加わる荷重が、２ｋｇｆ、２．５ｋｇｆ、３ｋｇｆ、３．５ｋｇｆ、４ｋｇｆ、４．５ｋｇｆ、５ｋｇｆのいずれかの値以上であるか、あるいはいずれかの値を超えると連結が解除される構成としてもよい。
（付記）
以下の内容は、特願２０１４−０５０７２４の出願当初の特許請求の範囲と同一である。
（付記１）
カーテンを束ねるためのカーテンアクセサリーであって、
タッセルと、房掛と、タッセルを房掛に取り付けた際の安全性を確保するためのタッセル補助部品のうちの少なくとも１つの部材を備え、
前記部材自体または互いに隣接する前記部材間に連結機構が設けられており、
前記連結機構は、前記タッセルに加わる荷重が所定値を超えると連結が解除され、かつ連結が解除された後に再連結可能であるように構成されている、カーテンアクセサリー。
（付記２）
前記タッセルまたは前記タッセル補助部品には環状部が設けられており、
前記連結機構は、前記環状部を分離して非環状とする分離部を有する、付記１に記載のカーテンアクセサリー。
（付記３）
前記タッセル補助部品は、外力による拡径によって非環状となり且つ自身の弾性によって環状となる弾性リングからなる付記１に記載のカーテンアクセサリー。
（付記４）
前記タッセルは、ループ状のタッセルコードが弾性力によって前記房掛に連結されるように構成される、付記１に記載のカーテンアクセサリー。
（付記５）
前記連結機構は、前記タッセルまたは前記タッセル補助部品を引張力によって隣接する他部材から分離する分離部を有する、付記１に記載のカーテンアクセサリー。
（付記６）
前記タッセル補助部品は、前記タッセルのループ状のタッセルコードを挿通可能な挿通部を有し、
前記分離部は、前記房掛を挟持するクリップ部を有する、付記５に記載のカーテンアクセサリー。
（付記７）
前記タッセル補助部品は、前記タッセルを保持可能なタッセル保持部と、磁力によって前記房掛又はその取付ビスに吸着可能な磁性体を備える、付記５に記載のカーテンアクセサリー。
（付記８）
前記タッセル補助部品は、前記房掛に取り付け可能な房掛取付部と、前記タッセルを保持可能なタッセル保持部とを備え、前記房掛取付部と前記タッセル保持部は、直接又は別の部材を介して連結可能であり、且つ前記タッセルに加わる荷重が所定値を超えると連結が解除され、かつ連結が解除された後に再連結可能であるように構成される、付記１に記載のカーテンアクセサリー。
（付記９）
前記タッセル補助部品は、前記房掛に取り付け可能な房掛取付部と、前記タッセルを保持可能なタッセル保持部とを備え、前記タッセル保持部は、前記タッセルに加わる荷重が所定値を超えると前記タッセルを脱落させるように構成される、付記１に記載のカーテンアクセサリー。
（付記１０）
前記タッセル保持部は、前記タッセルの第１部分を保持可能な第１タッセル保持部と、前記タッセルの第２部分を保持可能な第２タッセル保持部を備え、第１及び第２タッセル保持部は、それぞれ、前記タッセルに加わる荷重が所定値を超えると前記タッセルを脱落させるように構成される、付記９に記載のカーテンアクセサリー。
（付記１１）
第１タッセル保持部は、前記タッセルに加わる荷重が所定値を超えると変形することによって前記タッセルを脱落させるように構成され、第２タッセル保持部は、前記タッセルに加わる荷重が所定値を超えると前記タッセル補助部品を前記房掛に対して相対回転させることによって前記タッセルを脱落させるように構成される、付記１０に記載のカーテンアクセサリー。
（付記１２）
前記房掛は、台座と、前記台座に支持された且つ前記タッセルまたは前記タッセル補助部品を引っ掛けるための引掛部を備え、
前記台座と前記引掛部の間の隙間を塞ぐ引っ掛け禁止部材が設けられる、付記１０又は付記１１に記載のカーテンアクセサリー。
（付記１３）
前記連結機構は、隠蔽部材または装飾部材によって覆われている、付記１〜付記６の何れか１つに記載のカーテンアクセサリー。
（付記１４）
前記タッセルおよび前記タッセル補助部品をともに備え、
前記分離部は、前記タッセル補助部品に設けられており、
前記タッセルの一端には、前記タッセル補助部品が係止されているループ状のタッセルコードであって、当該タッセルコードのループ状の部分は前記房掛に引っ掛けることができないように構成されており、
前記タッセルの他端には、前記房掛に引っ掛けるための別のループ状のタッセルコードが設けられている、付記２に記載のカーテンアクセサリー。
（付記１５）
前記連結機構は、前記房掛を外力によって複数の部分に分離する分離部を有する、付記１に記載のカーテンアクセサリー。
（付記１６）
前記房掛は、前記分離部での分離を生じさせるのに必要な解除力を変更可能に構成されている、付記１５に記載のカーテンアクセサリー。
（付記１７）
前記房掛は、固定立設面に固定される台座と、前記台座から突出する突出軸と、前記突出軸に支持され且つ前記タッセルまたは前記タッセル補助部品を引っ掛けるための引掛部とを有し、
前記分離部は、前記突出軸および前記引掛部の間に設けられている、付記１５又は付記１６に記載のカーテンアクセサリー。
（付記１８）
前記房掛には、前記分離部に設けられているトリガーに向かい低くなるように傾斜する傾斜面が設けられ、
前記タッセルまたは前記タッセル補助部品が前記トリガーに当接し力をかけることにより前記連結が解除される、付記１７に記載のカーテンアクセサリー。
（付記１９）
前記台座と前記引掛部の間に設けられ且つ前記突出軸よりも高い位置において前記台座又は前記引掛部に対して着脱可能である突出部材をさらに備え、前記突出部材の着脱によって前記タッセルまたは前記タッセル補助部品の保持位置が変更可能である、付記１７又は付記１８に記載のカーテンアクセサリー。
（付記２０）
前記引掛部は、前記台座から離れる方向に傾斜して設けられ、
前記タッセルまたは前記タッセル補助部品は、前記突出軸の上方よりも前記台座から離れた位置で保持される、付記１９に記載のカーテンアクセサリー。
（付記２１）
前記房掛は、固定立設面に固定される台座と、前記台座から突出する突出軸と、前記突出軸に支持され、前記タッセルまたは前記タッセル補助部品を引っ掛けるための引掛部とを有し、
前記分離部は、前記台座および前記突出軸の間に設けられている、付記１５又は付記１６に記載のカーテンアクセサリー。
（付記２２）
前記連結機構の連結が解除されたときにも前記台座が下方へ落下しないように保持する保持コードが、前記台座および前記突出軸の間に設けられている、付記２１に記載のカーテンアクセサリー。
（付記２３）
前記房掛は、固定立設面に取り付けられる取付台と、前記取付台に係止する台座と、前記台座から突出する突出軸と、前記突出軸に支持され且つ前記タッセルまたは前記タッセル補助部品を引っ掛けるための引掛部とを有し、
前記分離部は、前記台座および前記取付台の間に設けられている、付記１５又は付記１６に記載のカーテンアクセサリー。
（付記２４）
前記取付台は、前記台座を係止するための台座係止部と、前記台座を略上下方向にスライドさせるためのスライド溝とを有し、
前記タッセルまたは前記タッセル補助部品が前記突出軸または引掛部に当接し力をかけることにより、前記台座が前記スライド溝に沿って下方向にスライドして前記連結が解除される、付記２３に記載のカーテンアクセサリー。
（付記２５）
前記タッセルと、前記房掛と、前記タッセル補助部品のうちの少なくとも１つの部材または部分であって前記連結機構が連結している状態では下方へ落下しない状態にある部材または部分が、前記連結機構の連結が解除されたときにも床に落下しないように保持する保持手段をさらに備える、付記１〜付記２４の何れか１つに記載のカーテンアクセサリー。
（付記２６）
前記連結機構は、嵌合構造を有する、付記１〜付記２５の何れか１つに記載のカーテンアクセサリー。
（付記２７）
前記嵌合構造は回転嵌合構造であり、かつ嵌合が解除された後に手動で回転させながら再嵌合可能であるように構成されている、付記２６に記載のカーテンアクセサリー。
（付記２８）
前記連結機構は磁性体を含む吸着構造である、付記１〜付記２５に記載のカーテンアクセサリー。
（付記２９）
前記連結機構は、前記タッセルに加わる荷重が２ｋｇｆ超になると連結が解除されるように構成されている、付記１〜付記２８の何れか１つに記載のカーテンアクセサリー。
（付記３０）
前記房掛は、固定立設面に固定される台座と、回転フックとを備え、
前記回転フックは、前記タッセルを保持可能なフック部を備え、
前記台座は、前記回転フックを挿込可能な開口孔を備え、
前記回転フックは、前記台座の開口孔に設けられた回転機構によって回転可能に支持され、
前記連結機構は、前記回転フックに設けられた回転フック側係止部と、前記台座に設けられ且つ前記タッセルにかかる荷重が所定値以下である状態で前記回転フック側係止部に係合して前記回転フックの回転を規制する台座側係止部とを備える、付記１に記載のカーテンアクセサリー。
（付記３１）
前記房掛は、前記タッセルを保持可能なタッセル保持部とを備え、前記タッセル保持部は、前記タッセルに加わる荷重が所定値を超えると前記タッセルを脱落させるように構成される、付記１に記載のカーテンアクセサリー。
（付記３２）
前記連結機構は、前記タッセルを介して前記房掛に加わる荷重が所定の解除力を超えると前記房掛を変形させて前記房掛と前記タッセルの間の連結を解除する第１連結機構と、前記タッセルに加わる荷重が所定の解除力を超えると前記タッセル内に設けられた分離部又は前記タッセルと前記房掛の間に設けられた分離部を分離させる第２連結機構とを備える、付記１に記載のカーテンアクセサリー。
（付記３３）
第２連結機構の解除力は、第１連結機構の解除力よりも小さい、付記３２に記載のカーテンアクセサリー。
（付記３４）
ガイドワイヤを支持するガイドワイヤ支持体と、
前記ガイドワイヤに沿って移動可能であり且つタッセルを保持可能な房掛とを備え、
前記房掛は、特定高さ又は所望の高さで前記ガイドワイヤに対して保持可能である、カーテンアクセサリー。
（付記３５）
前記房掛は、ユーザーの操作によって前記ガイドワイヤに対する保持力を変更可能に構成される、付記３４に記載のカーテンアクセサリー。
（付記３６）
前記房掛は、前記房掛に保持される前記タッセルのループを危険領域の上方又は下方にある安全領域にまで移動させる範囲で移動可能である、付記３４又は付記３５に記載のカーテンアクセサリー。
（付記３７）
前記ガイドワイヤ支持体は、固定立設面に固定される上部取付台である、付記３４〜付記３６の何れか１つに記載のカーテンアクセサリー。
（付記３８）
前記房掛は、前記上部取付台に対して保持可能であり、且つ前記タッセルに加わる荷重が所定値を超えると前記上部取付台から外れて下降するように構成される、付記３７に記載のカーテンアクセサリー。
（付記３９）
前記ガイドワイヤの、前記房掛よりも低い位置には、前記固定立設面に対して固定される下部取付部、又は前記固定立設面に固定しない端止具を備え、これによって前記房掛の下方への移動を規制する、付記３７又は付記３８に記載のカーテンアクセサリー。
（付記４０）
前記ガイドワイヤ支持体は、カーテンレールに支持される支持部材である、付記３４〜付記３６の何れか１つに記載のカーテンアクセサリー。
（付記４１）
前記支持部材は、前記カーテンレールのランナー走行溝に挿入した状態で回転させることによって前記カーテンレールに支持可能である、付記４０に記載のカーテンアクセサリー。
（付記４２）
カーテンレール内に配置されたランナーと共に移動する誘導コードと、前記誘導コードに取着されて前記ランナーの移動に伴って上下移動し且つタッセルを保持可能な房掛とを備える、カーテンアクセサリー。
（付記４３）
固定立設面に既に設置されている既存の房掛に隣接させて、付記１５〜付記４２に記載の何れか１つに記載のカーテンアクセサリーの房掛を設置する工程を備える、カーテンアクセサリーの設置方法。
（付記４４）
ループ状のタッセルコードを有するタッセルであって、
前記タッセルコードは、前記タッセルに加わる荷重が所定値を超えたときに伸長する伸長部を備える、タッセル。
（付記４５）
前記タッセルコードに取着された装飾部材をさらに備え、
前記伸長部は、前記装飾部材内に配置される、付記４４に記載のタッセル。
（付記４６）
前記伸長部は、伸縮材からなる、付記４４又は付記４５に記載のタッセル。
（付記４７）
前記伸長部は、ボビンに巻き付けられた糸からなる付記４４〜付記４６の何れか１つに記載のタッセル。
（付記４８）
固定立設面に固定する固定部と、前記固定立設面から離間した位置で支持され且つ前記固定立設面へ向かい且つタッセルを保持可能なフック部を備え、前記フック部は、下方に変位する変位構造を備え、
前記変位構造は、前記タッセルに加わる荷重が所定値を超えたときに、前記フック部と前記タッセルとの係合を解除させる、房掛。
【符号の説明】
【０２２５】
１４：コード
１６：連結部
１９：コード
２３：コード
２７：第一の連結部材（オス型部材）
２８：第二の連結部材（メス型部材）
２９：第一の嵌合部（オス型嵌合部）
３０：嵌合突起
３１：膨径部
３２：凹条
３３：面取り
３４：第二の嵌合部（メス型嵌合部）
３５：嵌合孔
３７：係止部
４１：第一の連結部材（オス型部材）
４２：第二の連結部材（メス型部材）
４５：嵌合突部
４６：膨径部
４７：凹条
４８：回動規制部
４９ａ，４９ｂ：開口部
６１：押圧部材
６２ａ，６２ｂ：ロック孔
６３ａ，６３ｂ：弾性押圧部
６４：被圧部
８６ａ：中芯
８６ｂ：外皮コード
１００：タッセル補助部品
１１１，１１１ａ，１１１ｂ：コード
１１４：分離部
１１５：第一の連結部材（オス型部材）
１１６：第二の連結部材（メス型部材）
１１７：係止溝
１１８：挿通孔
１１９：かしめ部材
１２０：突条
１３０：タッセル補助部品
１３２：第一のクリップ
１３３：湾曲部
１３４：第二のクリップ
１３６：回転軸
１３７：他方の壁
１３８：挿通部
１３９：カム機構
１４０ａ，１４０ｂ：誘い
１４２：房掛の台座（上下省略）
１４４：房掛の軸（断面）
１４６：カム部
１４８：壁
１５０：タッセルコード
１５２：隠蔽部材
１５４：テープ
１６０：脱落防止カラー
２００：房掛
２０２：台座
２０４：突出軸
２０５：上辺
２０６：引掛部
２０８：引掛部が外れる方向
２１０：先端部
２１２：嵌合凹部
２１４：嵌合凸部
２１６：回転嵌合構造
２１８：保持コード
２２０：結び目
２３０：取付台
２３２：スライド溝
２３４：台座係止用の小突起
２４０、２４０ａ、２４０ｂ：台座の内側への突出軸
２５０：台座を取付台に嵌めこむ方向
２６０：台座のスライド方向
３００：タッセル
３０１：縫い目
３０２：タッセル本体
３０３：縫い目が存在しない部分
３０４：結び目
３０５：垂れ飾り
３０６：装飾部材（隠蔽部材）
３０８：縫い目
３１０，３１０ａ，３１０ｂ：タッセルコード
４００：固定立設面
４０１：取付孔
５００：引張力
６００：異物の侵入方向
７００：取付孔
７１０：分離ライン
７１１：スリット
７１２：スナップ腕部
７１３：膨径部
７１４：段部
７１５：開口部
７１６：突出片
７２０：下端接触面１
７２１：下端接触面２
７２２：軸受部
７２３：先端接触面
７２４：軸支持部
７２５：回動軸
７４０：保持突出軸
７５０：支持軸
７５１：係止凸部
７５２：開口凹部
７５３：軸受孔
７５４：係止凹部
７６０：保持凹部
７６１：保持ベース
７６２：取付ビス（吸着手段）
７６３：第一突起
７６４：磁性体（吸着手段）
７６５：第二突起
７６７：回り止め
７７０：鉄板（吸着手段）
７８０：保持筒
８００：第二突出部材
８０１：受け部
８０２：コード支持部
８０３：第二突出軸
８０４：コード
８３０：ガイドワイヤ（案内手段），誘導コード
８３１ａ，８３１ｂ：ガイド孔
８３２ａ，８３２ｂ：係合凹部
８４０：第１係止部
８４１：第２係止部
８４２：開閉回転軸
８４３：開閉部
８４５：端止具
８５０：弾性芯部
８５１：外皮
８５２：分離箇所
８５５：挿通筒部
８５６：テーパ部
８５７：挿通筒孔
８６０：糸
８６１：ボビン
８６２：抜止め
１０００：カーテンアクセサリー
１１００：カーテン
１１１０：カーテンレール
１１１１：ランナー
１１１２：先頭ランナー
１１１３：支持部材
１１１４：エンドキャップ
１１１６：転向部
【図１】
0005909300.tif 000002
【図２】
0005909300.tif 000003
【図３】
0005909300.tif 000004
【図４】
0005909300.tif 000005
【図５】
0005909300.tif 000006
【図６】
0005909300.tif 000007
【図７】
0005909300.tif 000008
【図８】
0005909300.tif 000009
【図９】
0005909300.tif 000010
【図１０】
0005909300.tif 000011
【図１１】
0005909300.tif 000012
【図１２】
0005909300.tif 000013
【図１３】
0005909300.tif 000014
【図１４】
0005909300.tif 000015
【図１５】
0005909300.tif 000016
【図１６】
0005909300.tif 000017
【図１７】
0005909300.tif 000018
【図１８】
0005909300.tif 000019
【図１９】
0005909300.tif 000020
【図２０】
0005909300.tif 000021
【図２１】
0005909300.tif 000022
【図２２】
0005909300.tif 000023
【図２３】
0005909300.tif 000024
【図２４】
0005909300.tif 000025
【図２５】
0005909300.tif 000026
【図２６】
0005909300.tif 000027
【図２７】
0005909300.tif 000028
【図２８】
0005909300.tif 000029
【図２９】
0005909300.tif 000030
【図３０】
0005909300.tif 000031
【図３１】
0005909300.tif 000032
【図３２】
0005909300.tif 000033
【図３３】
0005909300.tif 000034
【図３４】
0005909300.tif 000035
【図３５】
0005909300.tif 000036
【図３６】
0005909300.tif 000037
【図３７】
0005909300.tif 000038
【図３８】
0005909300.tif 000039
【図３９】
0005909300.tif 000040
【図４０】
0005909300.tif 000041
【図４１】
0005909300.tif 000042
【図４２】
0005909300.tif 000043
【図４３】
0005909300.tif 000044
【図４４】
0005909300.tif 000045
【図４５】
0005909300.tif 000046
【図４６】
0005909300.tif 000047
【図４７】
0005909300.tif 000048
【図４８】
0005909300.tif 000049
【図４９】
0005909300.tif 000050
【図５０】
0005909300.tif 000051
【図５１】
0005909300.tif 000052
【図５２】
0005909300.tif 000053
【図５３】
0005909300.tif 000054
【図５４】
0005909300.tif 000055
【図５５】
0005909300.tif 000056
【図５６】
0005909300.tif 000057
【図５７】
0005909300.tif 000058
【図５８】
0005909300.tif 000059
【図５９】
0005909300.tif 000060
【図６０】
0005909300.tif 000061
【図６１】
0005909300.tif 000062
【図６２】
0005909300.tif 000063
【図６３】
0005909300.tif 000064
【図６４】
0005909300.tif 000065
【図６５−１】
0005909300.tif 000066
【図６５−２】
0005909300.tif 000067
【図６６】
0005909300.tif 000068
【図６７】
0005909300.tif 000069
【図６８】
0005909300.tif 000070
【図６９】
0005909300.tif 000071
【図７０】
0005909300.tif 000072
【図７１】
0005909300.tif 000073
【図７２】
0005909300.tif 000074
【図７３】
0005909300.tif 000075
【図７４】
0005909300.tif 000076
【図７５】
0005909300.tif 000077
【図７６】
0005909300.tif 000078
【図７７】
0005909300.tif 000079
【図７８】
0005909300.tif 000080
【図７９】
0005909300.tif 000081
【図８０】
0005909300.tif 000082
【図８１】
0005909300.tif 000083
【図８２】
0005909300.tif 000084
【図８３】
0005909300.tif 000085
【図８４】
0005909300.tif 000086
【図８５】
0005909300.tif 000087
【図８６】
0005909300.tif 000088
【図８７】
0005909300.tif 000089
【図８８】
0005909300.tif 000090
【図８９】
0005909300.tif 000091
【図９０】
0005909300.tif 000092
【図９１】
0005909300.tif 000093
【図９２】
0005909300.tif 000094
【図９３】
0005909300.tif 000095
【図９４】
0005909300.tif 000096
【図９５】
0005909300.tif 000097
【図９６】
0005909300.tif 000098